(57)【要約】【課題】デジタルカメラによって作成される音声ファイルの管理を容易とする技術を提供する。【解決手段】撮影動作による中断を含む一連の録音に基づいて、中断前及び中断後にそれぞれ音声ファイル（Ｐｉｃｔ０１０１．ｗａｖ，Ｐｉｃｔ０１０３．ｗａｖ）を作成する一方、中断時の撮影動作に基づいて撮影画像ファイル（Ｐｉｃｔ０１０２．ｊｐｇ）を作成することにより、３つのファイル（Ｐｉｃｔ０１０１．ｗａｖ，Ｐｉｃｔ０１０２．ｊｐｇ，Ｐｉｃｔ０１０３．ｗａｖ）を取得する。そして、一連の録音が終了した際に、各ファイルのタグ情報内にそれぞれ、他の２つのファイルに関する情報を記述する。その結果、各ファイルのタグ情報内に記述された他の２つのファイルに関する情報により、２つの音声ファイルを含む３つのファイルが相互に関連付けられる。【選択図】        図１０
2004282486.tif 000002
【特許請求の範囲】
【請求項１】
録音機能を有するデジタルカメラであって、
録音に基づいて音声ファイルを作成するファイル作成手段と、
前記ファイル作成手段によって作成される複数の音声ファイル間の関連付け情報を、前記複数の音声ファイルのうちの少なくとも一つの音声ファイルに付与する付与手段と、
を備えることを特徴とするデジタルカメラ。
【請求項２】
請求項１に記載のデジタルカメラであって、
前記ファイル作成手段が、
中断を含む一連の録音に基づいて、前記中断前及び前記中断後にそれぞれ音声ファイルを作成することにより、前記複数の音声ファイルを作成することを特徴とするデジタルカメラ。
【請求項３】
請求項２に記載のデジタルカメラであって、
前記中断が、
撮影画像データの取得動作のためのものであり、
前記付与手段が、
前記撮影画像データを含む画像ファイルと、前記複数の音声ファイルとの間の関連付け情報を、前記画像ファイルに付与することを特徴とするデジタルカメラ。
【請求項４】
録音機能を有するデジタルカメラであって、
録音に基づいて音声ファイルを作成するファイル作成手段と、
前記ファイル作成手段によって作成される複数の音声ファイルを連結して一つの新たな音声ファイルを作成する連結作成手段と、
を備えることを特徴とするデジタルカメラ。
【請求項５】
コンピュータに、
（ａ）録音機能を有するデジタルカメラによって作成された複数の音声ファイルのうち少なくとも一つの音声ファイルに対し当該デジタルカメラによって付与された前記複数の音声ファイル間の関連付け情報に基づいて、連結対象となる複数の音声ファイルを決定する決定ステップと、
（ｂ）前記決定ステップにおいて決定された連結対象となる複数の音声ファイルを連結して一つの新たな音声ファイルを作成する作成ステップと、
を実行させるためのプログラム。
【発明の詳細な説明】
【０００１】
【発明の属する技術分野】
本発明は、録音機能を有するデジタルカメラにおいて作成される複数の音声ファイルの管理技術に関する。
【０００２】
【従来の技術】
近年、デジタルカメラの多機能化により、録音機能を有するものが現れている（例えば、特許文献１）。この録音機能には、▲１▼撮影に引き続いて撮影画像に関連する情報を音声で記録するボイスメモ機能、▲２▼画像の再生時に、その再生画像に関連する情報を音声で記録するアフターレコーディング（アフレコ）機能、▲３▼画像とは無関係に音声のみを記録するボイスレコード機能、の３つの機能があり、ボイスメモ機能及びアフレコ機能においては作成される撮影画像ファイルと音声ファイルとが互いに関連付けられるのが一般的である。
【０００３】
そして、画像ファイルと複数の音声ファイルとの関連付けに関しては、１つの画像ファイルに対して複数の音声ファイルＶ１，Ｖ２を関連付けして記録する音声付き画像録画再生装置が提案されている（例えば、特許文献２）。
【０００４】
このような技術に関する先行技術文献としては、以下のようなものがある。
【０００５】
【特許文献１】
特開２００２−２２３４０３号公報
【特許文献２】
特開２０００−２６１７５２号公報
【０００６】
【発明が解決しようとする課題】
しかしながら、上述した音声付き画像録画再生装置では、複数の音声ファイルＶ１，Ｖ２は画像ファイルを介して間接的に関連付けられるのみであるため、複数の音声ファイルＶ１，Ｖ２同士の関係が分かり難いものとなる。特に、何らかの事情で間接的な関連付けに関与していた画像ファイルが消去された場合には、複数の音声ファイルＶ１，Ｖ２同士の関係を知る術がなくなる。
【０００７】
また、上述したボイスレコーディング機能においては、録音中に何らかの事情によりやむなく録音を中断せざるを得ない状況が発生することがある。例えば、バッテリー切れ等の装置側の事情、及び録音が禁止／拒絶された場合や操作者側の人為的な事情等によるものが考えられる。このような状況においては、画像ファイルを介して関連付けすることが不可能となる。
【０００８】
本発明は上記課題に鑑みてなされたものであり、デジタルカメラによって作成される音声ファイルの管理を容易とする技術を提供することを目的とする。
【０００９】
【課題を解決するための手段】
上記の課題を解決するために、請求項１の発明は、録音機能を有するデジタルカメラであって、録音に基づいて音声ファイルを作成するファイル作成手段と、前記ファイル作成手段によって作成される複数の音声ファイル間の関連付け情報を、前記複数の音声ファイルのうちの少なくとも一つの音声ファイルに付与する付与手段とを備えることを特徴とする。
【００１０】
また、請求項２の発明は、請求項１に記載のデジタルカメラであって、前記ファイル作成手段が、中断を含む一連の録音に基づいて、前記中断前及び前記中断後にそれぞれ音声ファイルを作成することにより、前記複数の音声ファイルを作成することを特徴とする。
【００１１】
また、請求項３の発明は、請求項２に記載のデジタルカメラであって、前記中断が、撮影画像データの取得動作のためのものであり、前記付与手段が、前記撮影画像データを含む画像ファイルと、前記複数の音声ファイルとの間の関連付け情報を、前記画像ファイルに付与することを特徴とする。
【００１２】
また、請求項４の発明は、録音機能を有するデジタルカメラであって、録音に基づいて音声ファイルを作成するファイル作成手段と、前記ファイル作成手段によって作成される複数の音声ファイルを連結して一つの新たな音声ファイルを作成する連結作成手段とを備えることを特徴とする。
【００１３】
また、請求項５の発明は、コンピュータに、（ａ）録音機能を有するデジタルカメラによって作成された複数の音声ファイルのうち少なくとも一つの音声ファイルに対し当該デジタルカメラによって付与された前記複数の音声ファイル間の関連付け情報に基づいて、連結対象となる複数の音声ファイルを決定する決定ステップと、（ｂ）前記決定ステップにおいて決定された連結対象となる複数の音声ファイルを連結して一つの新たな音声ファイルを作成する作成ステップと、を実行させるためのプログラムである。
【００１４】
本明細書では、複数の音声ファイルに格納される音声データ同士をつなぎ合わせる（連結する）ことを「音声ファイルの連結」と称することとする。
【００１５】
【発明の実施の形態】
以下、本発明の実施形態を図面に基づいて説明する。
【００１６】
＜（１）第１実施形態＞
＜撮影装置の機能構成＞
図１及び図２は、本発明の実施形態に係るデジタルカメラ１の外観構成を示す図である。図１は正面側からみた概略斜視図であり、図２は背面側からみた概略斜視図である。図１及び図２に示すように、デジタルカメラ１は、薄型の略直方体形状を有している。
【００１７】
図１に示すように、デジタルカメラ１は、その正面側に撮影レンズ２と光学ファインダー４とフラッシュ６とを備えており、その上面側に電源スイッチ３とシャッタボタン（レリーズボタン）９とマイク１２とを備えている。また、図２に示すように、デジタルカメラ１は、その背面側に液晶表示部（以下、「ＬＣＤ」という。）５とボタン群７，８とクイックレビューボタン（以下、「ＱＶボタン」とも称する）１１とスピーカ１３とを備えている。ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１及び図２に示すように、デジタルカメラ１は、その側方の面に蓋１４とＤＣ入力端子１５とＵＳＢ端子１６とＡＶ出力端子１７とを備えている。
【００１８】
後述するように、デジタルカメラ１は、撮影レンズ２からの被写体像をＣＣＤ（撮像素子）２０（図３）によって光電変換すること等によって、被写体に関する画像データを取得する。
【００１９】
また、電源スイッチ３は、電源のオン操作及びオフ操作を受け付けるために用いられる。具体的には、電源スイッチ３を押下する毎にオン状態への移行とオフ状態への移行とが交互に繰り返される。
【００２０】
レリーズボタン９はユーザ（操作者）による半押し状態（以下、「状態Ｓ１」とも称する）と全押し状態（以下、「状態Ｓ２」とも称する）とを区別して検出可能な２段階押し込みスイッチとなっており、半押し状態のときに自動合焦制御（ＡＦ）、自動露光制御（ＡＥ）、及び自動ホワイトバランス制御（ＡＷＢ）等、本撮影を行うための準備（以下、「撮影準備」と称する）を開始する。つまり、レリーズボタン９は、操作者の押下操作に基づいて撮影準備を行う状態Ｓ１（以下、「撮影準備状態」とも称する）を検出する。また、全押し状態のときに記録用画像（撮影画像）を撮影するための本撮影動作を開始する。
【００２１】
本撮影は、主に露光開始から後述するバッファメモリ５４（図３）への撮影画像データの格納までの処理（以下、「画像取得処理」と称する）と、バッファメモリ５４に格納された撮影画像データに対する画像処理（以下、「撮影画像処理」と称する）と、バッファメモリ５４に格納された撮影画像データを後述するメモリカード９０へ記録するまでの処理（以下、「画像記録処理」と称する）とに大別される。なお、以下では、レリーズボタン９の押下操作に基づいた撮影準備と画像取得処理とを含む一連の処理を撮影画像データを取得する処理として「撮影処理」と称する。つまり、ここでは、操作者によるレリーズボタン９の押下操作（以下、「撮影操作」とも称する）によって、主に撮影処理と撮影画像処理と画像記録処理とを含む撮影動作が行われる。
【００２２】
ＬＣＤ５は、本撮影前のプレビュー表示（「ライブビュー表示」とも称する）、本撮影直後に撮影画像を確認するためのクイックビュー表示（「アフタービュー表示」とも称する）、及び記録画像の再生表示等を行う。このＬＣＤ５は、所定数（ここでは３２０×２４０）の表示画素を有しており、カラー画像を表示することができる。
【００２３】
操作者は、ＬＣＤ５におけるライブビュー表示によって画像における被写体の位置及び大きさ等を知覚し、フレーミング動作を行うことができる。なお、ＬＣＤ５を用いることなく光学ファインダー４のみを用いてフレーミング動作を行うことも可能である。
【００２４】
また、ＱＶボタン１１は、撮影モードと再生モードと切り替える機能を有している。具体的には、後述するように、原則としてＱＶボタン１１が押下される毎に、これら２つのモードが順次に且つ循環的に（サイクリックに）選択される。
【００２５】
メニューボタン８ｂは、ＬＣＤ５へのメニューの表示及び非表示を切り替える機能を有している。具体的には、メニューボタン８ｂが押下される毎に、メニュー画面と非メニュー画面とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定等を行うことが可能である。
【００２６】
フラッシュモードボタン８ｃは、フラッシュ６のモードを決定するためのボタンである。フラッシュモードボタン８ｃが押下される毎に、自動発光、強制発光、発光禁止の順序でフラッシュモードが切り替わる。
【００２７】
液晶モニターボタン８ｄは、液晶モニターの表示・非表示を切り替えるためのボタンである。液晶モニターボタン８ｄが押下される毎に、ＬＣＤ５に画像等が表示された状態（表示状態）と表示されない状態（非表示状態）とが交互に切り替わる。非表示状態にしておけば消費電力を低減できる。
【００２８】
また、マイク１２は、動画撮影、ボイスメモ、ボイスレコーディング、アフターレコーディング（アフレコ）時において、記録用の音声データ（「記録音声」とも称する）を取得する（録音する）ために用いられる。
【００２９】
スピーカ１３は、音声を出力する機能を有しており、音声データあるいは音声付き画像データ（静止画、動画）を再生するとき等に用いられる。
【００３０】
さらに、蓋１４は、電池室及びメモリカード装着部を覆う部分に設けられている。つまり、蓋１４の内部側には、電源電池ＢＴを収容する電池室と着脱自在な記録媒体であるメモリカード９０を装着するメモリカード装着部とが設けられている。電源電池ＢＴ及びメモリカード９０は、それぞれ、電池室及びメモリカード装着部に対して着脱自在に装着される。本撮影によって得られる画像データ（撮影画像データ）及びボイスレコーディング時に得られる音声データ等は、この挿入装着部にセットされるメモリカード９０に記録される。つまり、記録媒体としてのメモリカード９０は、バッファメモリ５４に一時的に記憶された撮影画像データを記録する一方で、録音中にバッファメモリ５４に一時的に記憶された音声データの転送を受けてそれを逐次記録する。また、デジタルカメラ１は、電源電池ＢＴからの電力供給を受けることもできるし、ＤＣ入力端子１５を用いてＡＣアダプタ（不図示）等からの電力供給を受けることもできる。
【００３１】
ＵＳＢ端子１６は、パーソナルコンピュータ（「パソコン」とも略称する）等とのデータ通信を行うための端子である。ＵＳＢ端子１６にＵＳＢ規格のケーブル等を接続することによって外部機器（パソコン等）とのデータ通信を行うことができる。
【００３２】
ＡＶ出力端子１７は、テレビ等の外部映像音響機器（ＡＶ機器）に接続するための端子である。所定のＡＶコードをこのＡＶ出力端子１７と外部映像音響機器側の入力端子とを接続することによって、その外部映像音響機器に画像及び／又は音声を出力することができる。
【００３３】
次に、図３を参照しつつ、デジタルカメラ１の内部構成について説明する。図３は、デジタルカメラ１の内部機能を示すブロック図である。
【００３４】
ＣＣＤ（撮像素子）２０は被写体像を撮影して電子的な画像信号（画像データ）、即ち、被写体に係る画像データ（撮影画像データ等）を生成・取得する手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３５】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３６】
Ａ／Ｄ変換器２２は、画像信号の各画素信号を１２ビットのデジタル信号に変換するものである。変換後のデジタル信号（画像データ）は一時的にＲＡＭ５０ａ内のバッファメモリ５４に格納される。つまり、ＣＣＤ２０が露光されることにより得られる画像信号がアナログ信号処理回路２１及びＡ／Ｄ変換器２２を介してデジタル画像データとしてバッファメモリ５４に格納される。そして、バッファメモリ５４に保持された画像データに対して、後述する画像処理部５１による、ＷＢ（ホワイトバランス）処理、γ補正処理、及び色補正処理等が施された後、圧縮／伸張部５２による圧縮処理等が施される。
【００３７】
また、マイク１２から得られる音声信号（音声データ）は、音声処理部５３に入力される。音声処理部５３に入力された音声信号は音声処理部５３内に設けられたＡ／Ｄ変換器（不図示）によりデジタル信号（デジタルデータ）に変換され、一時的にバッファメモリ５４に格納される。
【００３８】
操作部３０は、上述した電源スイッチ３、ボタン群７，８、レリーズボタン９、ＱＶボタン１１等を含む操作部であり、操作者がデジタルカメラ１の設定状態を変更操作する際や撮影操作を行う際等に用いられる。
【００３９】
電源４０は、デジタルカメラ１に対する電力供給源である。デジタルカメラ１は、リチウムイオン電池等の二次電池を電源電池ＢＴとして用いて駆動される。
【００４０】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する手段として機能する。全体制御部５０は、たとえば、ライブビュー表示処理、及びメモリカードへの記録処理等をも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。
【００４１】
また、ＲＡＭ５０ａ内における一部の領域は、一時記憶用のバッファエリアとして機能する。ここでは、このバッファエリアをバッファメモリ５４と称するものとする。バッファメモリ５４は、撮影処理に基づいて取得されたデジタルデータ化された画像データ（撮影画像データ等）を一時的に記録する一方、録音中にデジタルデータ化された音声データを一時的に記憶する。
【００４２】
全体制御部５０は、画像処理部５１、圧縮／伸張部５２、音声処理部５３を有している。これらの各処理部５１，５２，５３は、マイクロコンピュータが所定のプログラムを実行することにより実現される機能部である。
【００４３】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理及び伸張処理を行う処理部である。圧縮方式としては、例えばＪＰＥＧ方式等が採用される。音声処理部５３は、音声データに対する各種のデジタル処理を施す処理部である。
【００４４】
また、全体制御部５０は、レリーズボタン９の押下操作に応じたＡＦ，ＡＥ，及びＡＷＢを含む撮影準備の各動作を制御する機能を有する。さらに、全体制御部５０は、ボイスレコードモードにおける録音中にレリーズボタン９が押下されると、撮影処理を開始させるとともに録音を中断し、撮影処理の終了に応答して中断された録音を再開するように制御する。このように、録音中に撮影を割り込ませることを以下では「割り込み撮影」と称し、割り込み撮影については後程詳述する。
【００４５】
また、全体制御部５０は、圧縮／伸張部５２で圧縮処理された画像データや、音声処理部５３でデジタル処理された音声データをメモリカード９０内に書き込む際に、メモリカード９０内にファイル（撮影画像ファイル、音声ファイル）を作成する機能を有する。つまり、全体制御部５０は、撮影に基づいて撮影画像ファイルを作成する一方、録音に基づいて音声ファイルを作成する。さらに、全体制御部５０は、メモリカード９０内に作成したファイルに対して、他のファイルと関連付けるための情報（以下、「関連付け情報」と称する）を付与するとともに、適宜その情報を変更する機能（以下、「関連付け機能」と称する）を有する。この関連付け機能については後程詳述する。
【００４６】
また、全体制御部５０は、メモリカード９０内に作成・記録される複数の音声ファイルのうち、ファイルに付与される関連付け情報によって関連付けられたか、又は操作者によって選択された複数の音声ファイルを、連結して一つの新たな音声ファイルを作成する機能（以下、「ファイル連結作成機能」と称する）を有する。このファイル連結作成機能については後程詳述する。
【００４７】
また、カードインタフェース（カードＩ／Ｆ）６０は、デジタルカメラ１側面の挿入装着部に対して装着されるメモリカード９０への画像データの書込み及び読出しを行うためのインタフェースである。
【００４８】
メモリカード９０に対する画像データの読み書き時には、圧縮・伸張部４６において例えばＪＰＥＧ方式で画像データの圧縮処理又は伸張処理が行われ、カードインタフェース６０を介して画像データがバッファメモリ５４とメモリカード９０との間で送受信される。例えば、メモリカード９０に対して画像データ（撮影画像データ）を書き込む際には、メモリカード９０内に撮影画像ファイルが作成され、そのファイル内に撮影画像データ等が格納される。また、音声データの読み書き時においてもカードインタフェース６０を介して音声データがバッファメモリ５４とメモリカード９０との間で送受信される。例えば、メモリカード９０に対して音声データを書き込む際には、メモリカード９０内に音声ファイルが作成され、そのファイル内に音声データが格納される。
【００４９】
さらに、デジタルカメラ１は、このカードインタフェース６０を用いて、画像及び音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新すること等が可能である。
【００５０】
また、ＵＳＢ端子１６等を介した外部機器（外部コンピュータ等）との通信によっても、画像あるいは音声等の各種のデータ、及び制御プログラム等を送受信することが可能である。たとえば、外部コンピュータの読取装置（光学ドライブ装置等）にセットされた記録媒体（ＣＤ−Ｒ／ＲＷ、ＣＤ−ＲＯＭ等）に記録された各種のデータ及びプログラム等を、ＵＳＢ端子１６を介して取得することが可能である。
【００５１】
＜記録音声と撮影画像について＞
次に、記録音声と撮影画像について説明する。
【００５２】
図４はメモリカード９０内のフォルダ構成を概念的に示す図である。図４に示すように、撮影画像及び記録音声のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成されて記録される。ここでは、各撮影画像ファイル及び音声ファイルは、フォルダ「１００ＭＬＴ０９」の中に格納される。フォルダ「１００ＭＬＴ０９」は、フォルダ「ＤＣＩＭ」の下に作成されるフォルダであり、フォルダ「ＤＣＩＭ」は、ルートフォルダの下に作成されるフォルダである。以下、このフォルダ「１００ＭＬＴ０９」を「記録フォルダ」とも称する。
【００５３】
各音声ファイルの名称は、「Ｐｉｃｔ０１０１．ｗａｖ」等のように、先頭の８文字（Ｐｉｃｔ０１０１）とそれに続くピリオド（．）と３文字の拡張子（ｗａｖ）とで構成されている。また、各撮影画像ファイルの名称も、同様に、「Ｐｉｃｔ０１０２．ｊｐｇ」等のように、先頭の８文字（Ｐｉｃｔ０１０２）とそれに続くピリオド（．）と３文字の拡張子（ｊｐｇ）とで構成されている。そして、これらファイルの名称の先頭の８文字のうち、後半の４つの数字は記録音声（音声ファイル）及び撮影画像（撮影画像ファイル）の作成順に連続的に付与されるシリアル番号である。
【００５４】
したがって、例えば、デジタルカメラ１による録音と撮影とを交互に繰り返すと、メモリカード９０内には、「Ｐｉｃｔ０００１．ｗａｖ」，「Ｐｉｃｔ０００２．ｊｐｇ」，「Ｐｉｃｔ０００３．ｗａｖ」，「Ｐｉｃｔ０００４．ｊｐｇ」，「Ｐｉｃｔ０００５．ｗａｖ」，「Ｐｉｃｔ０００６．ｊｐｇ」，．．．という名称のファイルがこの順序で作成されて格納される。また、撮影のみを繰り返すと、メモリカード９０内には、「Ｐｉｃｔ０００１．ｊｐｇ」，「Ｐｉｃｔ０００２．ｊｐｇ」，「Ｐｉｃｔ０００３．ｊｐｇ」，．．．という名称のファイルがこの順序で作成されて格納される。さらに、録音のみを繰り返すと、メモリカード９０内には、「Ｐｉｃｔ０００１．ｗａｖ」，「Ｐｉｃｔ０００２．ｗａｖ」，「Ｐｉｃｔ０００３．ｗａｖ」，．．．という名称のファイルがこの順序で作成されて格納される。
【００５５】
図５及び図６は音声ファイルの構成を概念的に示す図であり、図７は撮影画像ファイルの構成を概念的に示す図である。
【００５６】
図５及び図６に示すように、各音声ファイルは、所定形式（ここではＥｘｉｆ形式）のファイルとして作成される。具体的には、各記録音声のファイルは、タグ情報ＴＧと、デジタル処理された音声データＤＳ１，ＤＳ２とを有する。このうち、タグ情報ＴＧには、「ファイル名」、「録音開始日時」、「録音に使用されたカメラのシリアルナンバー」、「関連する画像ファイル」、及び「関連する音声ファイル」等の情報が含まれる。
【００５７】
また、図７に示すように、各撮影画像ファイルも、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有する。このうち、タグ情報ＴＧには、「ファイル名」、「撮影日時」、「撮影に使用されたカメラのシリアルナンバー」、及び「関連する音声ファイル」等の情報が含まれる。
【００５８】
また、図５から図７に示すように、各ファイルには、その属性ＡＴが定められている。具体的には、「読み取り専用属性（Ｒ）」、「アーカイブ属性（Ａ）」、「システムファイル属性（Ｓ）」、及び「隠しファイル属性（Ｈ）」の４つの属性のいずれかが各ファイルに対して決定される。撮影画像及び記録音声に対しては、通常、「アーカイブ属性（Ａ）」及び「読み取り専用属性（Ｒ）」のいずれかが付与される。「アーカイブ属性」が与えられたファイルに対しては、読出動作及び書込動作の両方が許可されるが、「読み取り専用属性」が与えられたファイルに対しては、読出動作のみが許可され、書込動作が禁止される。
【００５９】
なお、このデジタルカメラ１では静止画像の撮影だけでなく、動画の撮影等を行うことも可能である。
【００６０】
＜デジタルカメラにおける状態遷移の概略＞
図８はデジタルカメラ１における状態遷移図であり、ＬＣＤ５における表示状態を中心に示す図である。図８の角丸四角の中には、ＬＣＤ５における表示画面が示されている。ここでは、まず、図８を参照しながらデジタルカメラ１における状態遷移の概要について説明する。
【００６１】
まず、電源スイッチ３の押下に応じて電源がオン状態にされると、デジタルカメラ１は状態ＳＴ１０に移行する。状態ＳＴ１０においては、デジタルカメラ１は「撮影モード」に設定され、撮影のためのプレビュー表示であるライブビュー表示がＬＣＤ５で行われる。「撮影モード」は画像（動画、静止画）又は音声を、撮影又は録音するモードである。
【００６２】
また、デジタルカメラ１は、上述したように、「撮影モード」の他に、「再生モード」を有している。「再生モード」は撮影画像（及び記録音声等）のファイルを再生するモードである。
【００６３】
これらのモードの切替には、ＱＶボタン１１が用いられる。原則として、ＱＶボタン１１が押下される毎に、デジタルカメラ１は２つのモードに対して順次に且つ循環的に（サイクリックに）移行する。ただし、例外的に、撮影画像ファイル及び音声ファイルがメモリカード９０内に存在しないときには「再生モード」には移行しない。
【００６４】
以下では、このモード切替についてさらに詳細に説明する。
【００６５】
状態ＳＴ１０においてＱＶボタン１１が一度押下されると、メモリカード９０内に撮影画像ファイル又は音声ファイルが保存（格納）されているか否かが判定される（状態ＳＴ４１）。
【００６６】
状態ＳＴ４１において、メモリカード９０内に撮影画像／音声ファイルが１つでも記録されていると判定された場合には状態ＳＴ２０に移行する。状態ＳＴ２０は、デジタルカメラ１が「再生モード」に設定され、ＬＣＤ５に再生画像等が表示されている状態である。状態ＳＴ２０に移行すると、最初に、直近に撮影された画像又は直近に録音された音声に対応する音声アイコン等がＬＣＤ５に表示される。また、左右方向のキー７ｃ又は７ｄを押下する毎に、ＬＣＤ５での表示対象ファイルが前方向あるいは後方向に順次に変更される。
【００６７】
また、状態ＳＴ２０においてＱＶボタン１１がもう一度押下されたときには、状態ＳＴ１０に戻る。
【００６８】
一方、状態ＳＴ４１において、メモリカード９０内に撮影画像／音声ファイルが一つも記録されていないと判定された場合には状態ＳＴ４３に移行し、「メモリカードに画像／音声データが保存されていません」という文字を表示して状態ＳＴ１０に戻る。このとき、ＱＶボタン１１の押下に応じて、「メモリカードに画像／音声データが保存されていません」という文字がＬＣＤ５に一時的に表示されるので、操作者はモードを変更することができないことを認識できる。
【００６９】
以上の動作によれば、撮影画像／音声ファイルがメモリカード９０内に記録されているときには、ＱＶボタン１１が押下される毎に、これら２つのモード（「撮影モード」、「再生モード」）が循環的に（サイクリックに）選択される。
【００７０】
つぎに、状態ＳＴ１０，ＳＴ２０からの更なる状態遷移について説明する。
【００７１】
状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモード（「単写モード」、「連写モード」、「ボイスメモモード」、「ボイスレコードモード」、「動画モード」、「カメラのセットアップ」）への変更等を行うことが可能な状態であり、撮影種類等を設定するための「撮影メニュー」がＬＣＤ５に表示される。状態ＳＴ１１においては、ライブビュー表示が背景画像として表示されたまま、撮影メニュー画面がオーバーレイ表示される。
【００７２】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定（「プロテクト」、「削除」、「スライドショー」、「プリント指定」、「編集」、「カメラのセットアップ」の設定）を行うことが可能な状態であり、各種の設定動作を行うためのメニュー画面である「再生メニュー」がＬＣＤ５に表示される。状態ＳＴ２１においては、再生中の撮影画像や音声アイコン等が背景画像として表示されたまま、再生メニュー画面がオーバーレイ表示される。
【００７３】
撮影メニューと再生メニューとを比較すると判るように、「カメラのセットアップ」の項目は、いずれのメニューにおいても存在している。したがって、「カメラのセットアップ」の項目は、いずれのモードからでも呼び出せる。
【００７４】
また、各メニュー画面の各項目の左端には、３つの種類の記号（具体的には、白い菱形、黒い菱形、×印）のいずれかが表示される。×印は選択不可能な項目であることを意味し、菱形の記号は選択可能な項目であることを意味している。また、黒い菱形は現在選択されている項目を意味している。操作者が、上下方向のキー７ａ又は７ｂを用いて選択項目を変更し、所望の選択項目の記号が黒い菱形に変更された状態で、実行ボタン８ａを押下すると、その選択項目に対する動作（具体的には、サブモードの設定や更なるサブメニュー画面の表示）が実行される。尚、×印の付与に代えて、選択項目の文字を淡く表示することにより選択不可能な項目であることを意味するようにしてもよい。
【００７５】
例えば、状態ＳＴ１１における撮影メニューにおいて、操作者が、上下方向ののキー７ａ，７ｂ及び実行ボタン８ａの押下操作によって「ボイスレコードモード」を選択した場合には、デジタルカメラ１がボイスレコードモードに設定される。このボイスレコードモードは、通常、音声のみを記録するモードであるが、録音中にも思わずシャッターチャンスを迎えることもあるため、デジタルカメラ１では、録音中において撮影を割り込ませる割り込み撮影が可能となっている。
【００７６】
また、状態ＳＴ２１における再生メニューにおいて、操作者が、上下方向のキー７ａ，７ｂ及び実行ボタン８ａの押下操作によって「編集」を選択した場合には、ファイル連結作成機能に基づく記録音声の編集（音声編集）や撮影画像に対する種々の編集が可能となる。再生メニューにおいて「編集」を選択した場合の更なる状態遷移については、後程、ファイル連結作成機能について説明する際に併せて説明する。
【００７７】
＜ボイスレコードモードにおける動作＞
＜録音中の割り込み撮影の概要＞
図９はボイスレコードモードにおける録音中の割り込み撮影を説明するためのタイムチャートで、上から順に実行ボタン８ａの押下、録音、レリーズボタン９の押下、撮影、及びファイル処理を示すタイミングとなっている。
【００７８】
図９に示すように、ボイスレコードモードに設定された状態で、実行ボタン８ａが押下されると、録音を開始し（時刻ｔ１）、メモリカード９０内に音声ファイル（ここでは、音声ファイル名（Ｐｉｃｔ０１０１．ｗａｖ））を作成する処理（音声ファイル作成処理）を行い、音声データのメモリカード９０への記録処理（録音処理）を順次行いつつ音声ファイルの更新を行う。
【００７９】
その後、録音中において、レリーズボタン９が半押しされて状態Ｓ１となると、バッファメモリ５４にて撮影準備の迅速な動作に必要な空き容量を確保するために、録音を一旦中断して、撮影処理に包含されるＡＦ等を含む撮影準備の動作を開始する（時刻ｔ２）。この録音の中断時に、バッファメモリ５４に一時的に記憶されている音声データは、消去されずに保持される。
【００８０】
さらに、レリーズボタン９が全押しされて状態Ｓ２となると、本撮影を開始し（時刻ｔ３）、撮影処理に包含される一連の動作（露光、ＣＣＤ２０からの画像信号（撮影画像データ）の読出し、バッファメモリ５４への撮影画像データの一時記憶）と、撮影画像データに対する画像処理（撮影画像処理）とを行うとともに、その撮影画像データのメモリカード９０への記録処理（画像記録処理）を行い、その結果、撮影画像データに対応する撮影画像ファイル（ここでは、撮影画像ファイル名（Ｐｉｃｔ０１０２．ｊｐｇ））をメモリカード９０内に記録する。
【００８１】
そして、撮影画像処理や画像記録処理の途中までは、撮影画像データ等を保持するために、バッファメモリ５４には録音に必要な空き容量が確保されないが、撮影処理後であって画像記録処理が終了する頃には、バッファメモリ５４には録音に必要な空き容量が確保されるため、録音を自動的に再開し（時刻ｔ４）、メモリカード９０内に別の音声ファイル（ここでは、音声ファイル名（Ｐｉｃｔ０１０３．ｗａｖ））を作成する処理を行い、音声データのメモリカード９０への記録処理を順次行いつつ音声ファイルの更新を行う。図９では示していないが、録音の中断時においてバッファメモリ５４に一時的に記憶されていた音声データを、録音を再開後に、録音の中断前に作成された音声ファイル（ここでは、音声ファイル名（Ｐｉｃｔ０１０１．ｗａｖ））に追記して記録する。なお、この音声データの追記に関しては、後述するボイスレコードモードにおける動作フローにおいてさらに説明する。
【００８２】
そして、再度、実行ボタン８ａが押下されると、録音が終了し（時刻ｔ５）、図５及び図７に示すように、全体制御部５０の関連付け機能によって、各ファイルのタグ情報ＴＧに「関連する画像ファイル」や「関連する音声ファイル」を示す情報（リンク情報）が書き込まれる。具体的には、図５及び図６に示すように、音声ファイル（Ｐｉｃｔ０１０１．ｗａｖ）のタグ情報ＴＧには、関連する画像ファイルの情報（Ｐｉｃｔ０１０２．ｊｐｇ）及び関連する音声ファイル（Ｐｉｃｔ０１０３．ｗａｖ）の情報が関連付け情報として記述され、音声ファイル（Ｐｉｃｔ０１０３．ｗａｖ）のタグ情報ＴＧには、関連する画像ファイルの情報（Ｐｉｃｔ０１０２．ｊｐｇ）及び関連する音声ファイル（Ｐｉｃｔ０１０１．ｗａｖ）の情報が関連付け情報として記述される。また、図７に示すように、撮影画像ファイル（Ｐｉｃｔ０１０２．ｊｐｇ）のタグ情報ＴＧには、関連する音声ファイル（Ｐｉｃｔ０１０１．ｗａｖ，Ｐｉｃｔ０１０３．ｗａｖ）の情報が関連付け情報として記述される。
【００８３】
このように、録音中の割り込み撮影では、割り込み撮影による撮影画像データの取得動作のために録音を中断し、録音の中断前及び中断後の録音に基づいてそれぞれ音声ファイル（Ｐｉｃｔ０１０１．ｗａｖ）及び音声ファイル（Ｐｉｃｔ０１０３．ｗａｖ）を作成する。即ち、中断を含む一連の録音に基づいて、中断前及び中断後にそれぞれ音声ファイルを作成することにより、複数（ここでは、２つ）の音声ファイルを作成する。また、割り込み撮影によって取得された撮影画像データを含む撮影画像ファイルを作成し、メモリカード９０内に記録する。さらに、全体制御部５０により、複数の音声ファイルの間を関連付けする情報（関連付け情報）が複数の音声ファイルに対して付与され、撮影画像データを含む画像ファイルと複数の音声ファイルとの間を関連付けする情報（関連付け情報）が撮影画像ファイルに対して付与される。
【００８４】
図１０は、各ファイル間の関連付けを概念的に示す図である。ここでは、３つのファイル（Ｐｉｃｔ０１０１．ｗａｖ，Ｐｉｃｔ０１０２．ｊｐｇ，Ｐｉｃｔ０１０３．ｗａｖ）各々が、他の２つのファイルの情報を関連付け情報として保持する。換言すれば、図１０に示すように、各ファイルが他の２つのファイルと相互に関連付けされる。その結果、撮影画像ファイルと音声ファイルとの関係だけでなく、音声ファイル同士の関係が直接分かるようになるため、音声ファイルの管理を容易とすることができる。
【００８５】
＜ボイスレコードモードにおける動作フロー＞
図１１から図１３はボイスレコードモードにおける動作フローを示すフローチャートである。本動作は、全体制御部５０の制御によって実行される。
【００８６】
まず、ボイスレコードモードに設定されると、ボイスレコードモードの動作フローが開始し、ステップＳ１に進む。
【００８７】
ステップＳ１では、録音中フラグ（Ｆ）＝０に設定し、録音の動作の初期化を行い、ステップＳ２に進む。なお、録音中Ｆは、録音を行っていないことを示す０、及び録音中であることを示す１に設定することができ、この録音中Ｆの設定状態は全体制御部５０で管理制御される。
【００８８】
ステップＳ２では、アフタービュー表示を行うように設定されているか否かを判別する。ここでは、アフタービュー表示を行うように設定されている場合はステップＳ３に進み、設定されていない場合はステップＳ４に進む。アフタービュー表示の有無の設定は全体制御部５０において管理制御される。
【００８９】
ステップＳ３では、アフタービュー表示を行わない設定に変更しステップＳ４に進む。つまり、全体制御部５０が、ボイスレコードモードにおいては、ＬＣＤ５によるアフタービュー表示の実施を禁止する。ここで、仮にボイスレコードモードにおいてアフタービュー表示を行うように設定されるとすれば、録音中に撮影が割り込んだ場合、アフタービュー表示中（例えば１０秒間）には撮影画像データがバッファメモリ５４に一時的に記憶されたままになるため、その間は、バッファメモリ５４に録音を再開するための空き容量が生じないこととなる。そこで、ここでは、アフタービュー表示を行わないように設定する。その結果、撮影処理の終了後に速やかに録音を再開することができる。なお、ステップＳ３の処理には、カメラの設定で「アフタービュー表示を行う」が選択設定されていてもその設定を無視する場合や、一律にアフタービュー表示を行う仕様のカメラであってもボイスレコードモードに設定されたときだけはアフタービュー表示を禁止するようにする場合等がある。
【００９０】
ステップＳ４では、ライブビュー表示をする状態（ライブビューオン状態）になっているか否かを判別する。ここでは、ライブビューオン状態になっている場合はステップＳ５に進み、なっていない場合はステップＳ６に進む。
【００９１】
ステップＳ５では、ライブビュー表示をしない状態（ライブビューオフ状態）としてステップＳ６に進む。つまり、全体制御部５０が、ボイスレコードモードにおいては、ＬＣＤ５によるライブビュー表示の実施を禁止する。ここで、仮にボイスレコードモードにおいてライブビュー表示を行うように設定されるとすると、ライブビュー表示を行うにはバッファメモリ５４に画像データを順次記憶していく必要性があり、バッファメモリ５４において録音に必要な空き容量を十分確保することができなくなり、記録音声に音途切れ等の音質の劣化を生じることも考えられる。そこで、ここでは、ライブビュー表示を行わないように設定する。つまり、全体制御部５０が、ボイスレコードモードにおいては、ライブビュー表示の実施を禁止する。その結果、録音される音声の品質の劣化等を防止することができる。
【００９２】
ステップＳ６では、実行ボタン８ａが押下（オン）されたか否かを判別する。ここでは、実行ボタン８ａがオンされた場合はステップＳ７に進み、実行ボタン８ａがオンされていない場合は図１２のステップＳ２１に進む。
【００９３】
ステップＳ７では、録音中Ｆ＝１に設定されているか否かを判別する。ここでは、録音中Ｆ＝１に設定されている場合はステップＳ８に進み、録音中Ｆ＝１に設定されていない場合はステップＳ１０に進む。
【００９４】
ステップＳ８では、録音中Ｆ＝０に設定しステップＳ９に進む。ここで、録音中Ｆ＝０に設定するのは、もともと録音中Ｆ＝１に設定された状態で実行ボタン８ａが押下されているため、録音を終了するために実行ボタン８ａが押下されたものと判断することができるからである。
【００９５】
ステップＳ９では、録音を終了し図１２のステップＳ２１に進む。ここでは、図９に示したように、録音に基づいて作成された音声ファイルや、割り込み撮影に基づいて作成された撮影画像ファイルのタグ情報ＴＧに、関連付け情報が付与される。
【００９６】
ステップＳ１０では、録音中Ｆ＝１に設定しステップＳ１１に進む。ここで、録音中Ｆ＝１に設定するのは、もともと録音中Ｆ＝０に設定された状態で実行ボタン８ａが押下されているため、録音を開始するために実行ボタン８ａが押下されたものと判断することができるからである。
【００９７】
ステップＳ１１では、録音を開始するとともに、メモリカード９０内に新規な音声ファイル（例えば、図９の音声ファイル（Ｐｉｃｔ０１０１．ｗａｖ）に相当）を作成し、図１２のステップＳ２１に進む。
【００９８】
ステップＳ２１では、レリーズボタン９が半押しされた状態Ｓ１であるか否かを判別する。ここでは、状態Ｓ１であればステップＳ２２に進み、状態Ｓ１でなければステップＳ３０に進む。つまり、全体制御部５０が、レリーズボタン９による状態Ｓ１（撮影準備状態）の検出に基づいて撮影処理が開始したものと判断するように制御する。なお、ここで、状態Ｓ１である場合には、レリーズボタン９が半押しされることにより状態Ｓ１となる場合と、レリーズボタン９が半押しされたまま状態Ｓ１が保持されている場合とがある。また、状態Ｓ１でない場合には、もともとレリーズボタン９が半押しされていない場合と、状態Ｓ１が解除された場合とがある。
【００９９】
まず、ステップＳ２１において状態Ｓ１であると判断された場合、即ち、撮影処理を行う場合（ステップＳ２２に進む場合）について説明する。
【０１００】
ステップＳ２２では、録音中Ｆ＝１に設定されているか否かを判別する。ここでは、録音中Ｆ＝１に設定されていればステップＳ２３に進み、録音中Ｆ＝１に設定されていなければステップＳ２６に進む。
【０１０１】
ステップＳ２３では、録音中Ｆ＝０に設定しステップＳ２４に進む。
【０１０２】
ステップＳ２４では、録音を中断しステップＳ２５に進む。ここでは、上述したように、バッファメモリ５４において撮影準備の迅速な動作に必要な空き容量を確保するために、録音を一旦中断するのである。つまり、全体制御部５０が、録音中に撮影処理の開始に応答して録音を中断するように制御する。なお、仮に、撮影準備を行う際に録音を中断しないとすれば、容量が大きく非常に高価なメモリをバッファメモリ５４に適用しない限り、撮影準備と録音とを並行して迅速かつ確実に行うことが極めて困難となる。例えば、撮影準備と録音とを並行して行う場合は、ＡＦ等を含む撮影準備の動作に長時間を要し、操作者の意図よりも実際の撮影タイミングが遅れてしまう等の弊害を生じる。よって、ここでは、低コストで録音中に迅速な割り込み撮影が可能となるように、撮影準備の開始に対応させて録音を一旦中断するのである。なお、ここでは、録音を中断した旨を全体制御部５０によって管理する。
【０１０３】
ステップＳ２５では、録音を中断した際にバッファメモリ５４に一時的に記憶されている音声データ（以下、「中断時音声データ」とも称する）を保持するように設定し、ステップＳ２６に進む。つまり、ここでは、バッファメモリ５４が、録音の中断時に一時的に記憶されている音声データを消去することなく中断時音声データとして保持する。
【０１０４】
ステップＳ２６では、ＡＦ、ＡＥ、ＡＷＢを含む撮影準備が行われ、ステップＳ２７に進む。
【０１０５】
ステップＳ２７では、レリーズボタン９が押下されて状態Ｓ２になったか否かを判別する。ここでは、状態Ｓ２になっていればステップＳ２８に進み、状態Ｓ２になっていなければステップＳ２１に戻る。
【０１０６】
ステップＳ２８では、ＣＣＤ２０における露光が行われステップＳ２９に進む。ここでは、ＣＣＤ２０に結像された被写体の光像が各画素毎に光電変換されて電荷信号が蓄積される。
【０１０７】
ステップＳ２９では、ステップＳ２８においてＣＣＤ２０に蓄積された電荷信号をＣＣＤ２０から画像信号として読出して、アナログ信号処理回路２１及びＡ／Ｄ変換器２２を介して、デジタル信号化された画像信号をバッファメモリ５４へ転送し、バッファメモリ５４に一時的に記憶させ、図１３のステップＳ５１に進む。
【０１０８】
ステップＳ５１では、ステップＳ２９でバッファメモリ５４に一時的に記憶された画像信号に対する画像処理（撮影画像処理）とメモリカード９０への記録処理（画像記録処理）を開始し、ステップＳ５２に進む。なお、ここでメモリカード９０に記録される撮影画像ファイルは、例えば、図９の撮影画像ファイル（Ｐｉｃｔ０１０２．ｊｐｇ）に相当する。
【０１０９】
ステップＳ５２では、バッファメモリ５４において録音に要する所定の空き容量があるか否かを判別する。ここでは、バッファメモリ５４において録音に要する所定の空き容量があると判別される場合はステップＳ５３に進み、所定の空き容量がないと判別される場合はステップＳ５６に進む。ここで、バッファメモリ５４において録音に要する所定の空き容量が生じる状態とは、撮影処理等が終了した後に画像記録処理に移行することによって、バッファメモリ５４からメモリカード９０に撮影画像データが転送される等して、バッファメモリ５４内の撮影画像データの容量が減少した状態を意味する。そして、ここでは、全体制御部５０が、撮影処理によって取得される撮影画像データがバッファメモリ５４に一時的に記憶された後に、バッファメモリ５４において録音に要する所定の空き容量ができた場合には、間接的に撮影処理が終了したものと判断するように制御する。他の観点から言えば、ここでは、全体制御部５０が、撮影画像データがバッファメモリ５４に記録された後に撮影処理が終了したか否かを判断するのである。
【０１１０】
ステップＳ５３では、録音中の割り込み撮影によって、録音が中断されたか否かを判別する。ここでは、録音が中断されたと判別される場合にはステップＳ５４に進み、中断されていないと判別される場合にはステップＳ５６に進む。
【０１１１】
ステップＳ５４では、録音中Ｆ＝１に設定しステップＳ５５に進む。
【０１１２】
ステップＳ５５では、割り込み撮影によって中断された録音を再開するとともに、新規音声ファイル（例えば、図９の音声ファイル（Ｐｉｃｔ０１０３．ｗａｖ）に相当）を作成しステップＳ５６に進む。
【０１１３】
よって、ここでは、撮影処理によって得られる撮影画像データの取得後に、ステップＳ５２で撮影処理が終了したか否かを判別し、バッファメモリ５４に所定の空き容量ができた場合には、撮影処理が終了したものと判断する。そして、撮影処理の終了に応答して録音を再開する。その結果、特に撮影画像データを取得するまでの撮影処理等に支障を与えることなく速やかに録音を再開することができる。
【０１１４】
ステップＳ５６では、撮影に伴う撮影画像処理及び画像記録処理が終了したか否かを判別する。ここでは、撮影画像処理及び画像記録処理が終了していないと判別される場合にはステップＳ５７に進み、終了したと判別される場合にはステップＳ５９に進む。
【０１１５】
ステップＳ５７では、録音中Ｆ＝１に設定されていればステップＳ５８に進み、設定されていなければステップＳ５１に戻る。
【０１１６】
ステップＳ５８では、録音処理に伴う音声ファイルの更新を行いステップＳ５１に戻る。つまり、撮影に伴う撮影画像処理及び画像記録処理が終了するまではステップＳ５１からステップＳ５８までの処理が繰り返される。
【０１１７】
そして、ここでは、ステップＳ５１からステップＳ５８までの処理を繰り返す間、ステップＳ５２でバッファメモリ５４において録音に要する所定の空き容量があると判別された後は、録音と撮影画像処理及び画像記録処理とが並行して行われる。
【０１１８】
ここでは、シャッターチャンスを逃さないという観点から、撮影処理に含まれる撮影準備の動作を迅速に行うために、撮影処理の間は録音を一旦中断する。しかし、撮影処理が終了し、撮影画像処理及び画像記録処理を残すのみとなった場合には、画像記録処理を迅速に済ませるよりも、中断された録音を再開する方を優先させるべきとの観点から、ここでは、画像記録処理等と録音とが並行して行われる。
【０１１９】
一方、撮影に伴う撮影画像処理及び画像記録処理が終了した場合には、バッファメモリ５４に十分な空き容量が生じるため、バッファメモリ５４に中断時音声データが記憶されている場合にも、その音声データを処理するための空き容量をも十分確保することができる。よって、そのような場合にはステップＳ５６からステップＳ５９に進むのである。
【０１２０】
ステップＳ５９では、バッファメモリ５４に中断時音声データが保持されているか否かを判別する。ここでは、中断時音声データが保持されていると判別される場合にはステップＳ６０に進み、保持されていないと判別される場合は図１１のステップＳ６に戻る。
【０１２１】
ステップＳ６０では、バッファメモリ５４に記憶された中断時音声データを録音中断前でかつ直近に作成された音声ファイル（例えば、図９の音声ファイル（Ｐｉｃｔ０１０１．ｗａｖ）に相当）に追記し、バッファメモリ５４に記憶されていた中断時音声データを削除（クリア）して、図１１のステップＳ６に戻る。つまり、撮影処理の終了後において、メモリカード９０に、録音中断前に作成された音声データと中断時音声データとをつなぎ合わせて（合成して）作成される１つの音声ファイル（例えば、図９の音声ファイル（Ｐｉｃｔ０１０１．ｗａｖ）に相当）が記録される。
【０１２２】
次に、図１２のステップＳ２１において状態Ｓ１でないと判断された場合、即ち、撮影処理を行わない場合（ステップＳ３０に進む場合）について説明する。
【０１２３】
ステップＳ３０では、操作者によるＱＶボタン１１の押下等により再生モード等の他のモードへ遷移したか否かを判別する。ここでは、他のモードへ遷移したと判別される場合はステップＳ３１に進み、遷移していないと判別される場合はステップＳ３４に進む。
【０１２４】
ステップＳ３１では、録音中Ｆ＝１に設定されているか否かを判別する。ここでは、録音中Ｆ＝１に設定されている場合はステップＳ３２に進み、設定されていない場合はボイスレコードモードを終了するとともに、他のモードへ遷移する。
【０１２５】
ステップＳ３２では、録音中Ｆ＝０に設定しステップＳ３３に進む。
【０１２６】
ステップＳ３３では、録音を終了し、ボイスレコードモードを終了するとともに、他のモードへ遷移する。ここでも、ステップＳ９と同様に、図９に示したように、録音に基づいて作成された音声ファイルや、割り込み撮影に基づいて作成された撮影画像ファイルのタグ情報ＴＧに、関連付け情報が付与される。
【０１２７】
ステップＳ３４では、録音が割り込み撮影によって中断されたか否かを判別する。ここでは、録音が中断されたと判別される場合はステップＳ３５に進み、中断されていないと判別される場合はステップＳ４０に進む。なお、ここで、録音が中断されたと判別される場合とは、一旦状態Ｓ１となってステップＳ２４で録音が中断されたものの、その後、状態Ｓ１が解除された場合に相当する。つまり、ここでは、全体制御部５０が、レリーズボタン９の押下操作（撮影操作）の中断や中止に基づいて、撮影処理が終了したものと判断するように制御する。
【０１２８】
ステップＳ３５では、状態Ｓ１が解除された（オフ）後に一定時間（例えば、０．３秒）経過したか否かを判別する。ここでは、状態Ｓ１の解除から一定時間が経過していなければステップＳ３６に進み、経過していればステップＳ３７に進む。
【０１２９】
ステップＳ３６では、ステップＳ２１と同様に状態Ｓ１であるか否かを判別する。ここでは、状態Ｓ１であればステップＳ２２に進み、状態Ｓ１でなければステップＳ３５に戻る。つまり、ここでは、ステップＳ２１で一旦状態Ｓ１が解除されたと判別されてから一定時間が経過するまで、再びＳ１状態とならない限り（ステップＳ３６でＹ）、ステップＳ３５とステップＳ３６の判別が繰り返され、状態Ｓ１の解除（ステップＳ２１で一旦状態Ｓ１が解除されたと判別された時点）から一定時間経過すればステップＳ３７に進む。よって、ここでは、全体制御部５０が、状態Ｓ１（撮影準備状態）の解除後所定時間（例えば、０．３秒）の経過に基づいて撮影操作が中断又は中止されたものと判断するように制御する。
【０１３０】
ステップＳ３７では、録音中Ｆ＝１に設定しステップＳ３８に進む。
【０１３１】
ステップＳ３８では、中断された録音を再開するとともに、新規音声ファイル（例えば、図９の音声ファイル（Ｐｉｃｔ０１０３．ｗａｖ）に相当）を作成しステップＳ３９に進む。
【０１３２】
したがって、ここでは、操作者による撮影操作の中断／中止に基づいて撮影処理が終了したものと判断するため、撮影操作の中断／中止に基づいて即座に録音を再開することができる。また、その一方で、撮影準備状態（状態Ｓ１）の解除後、直ちにではなく、例えば、０．３秒といった若干の所定時間が経過した後に録音を再開する。つまり、撮影準備の再開のための若干の猶予期間を設けて操作者が確実に撮影（ここでは、撮影準備）を中止した場合のみ録音を再開する。その結果、操作者が撮影を中止しかけたが、実際には中止しなかった場合等において、録音の再開と中断に伴うタイムラグを防止できるため、シャッターチャンスを逃すことがなくなり、カメラの使い勝手を良くすることができる。
【０１３３】
ステップＳ３９では、ステップＳ６０と同様に、バッファメモリ５４に記憶された中断時音声データを録音中断前でかつ直近に作成された音声ファイル（例えば、図９の音声ファイル（Ｐｉｃｔ０１０１．ｗａｖ）に相当）に追記し、バッファメモリ５４に記憶されていた中断時音声データを削除（クリア）して、ステップＳ４０に進む。つまり、撮影処理の中止後において、録音中断前に作成された音声データと中断時音声データとをつなぎ合わせて（合成して）作成される１つの音声ファイル（例えば、図９の音声ファイル（Ｐｉｃｔ０１０１．ｗａｖ）に相当）がメモリカード９０に記録される。
【０１３４】
ステップＳ４０では、録音中Ｆ＝１に設定されているか否かを判別する。ここでは、録音中Ｆ＝１に設定されている場合はステップＳ４１に進み、録音中Ｆ＝１に設定されていない場合は図１１のステップＳ６に戻る。
【０１３５】
ステップＳ４１では、録音処理に伴う音声ファイルの更新を行い、図１１のステップＳ６に戻る。
【０１３６】
＜ファイル連結作成機能＞
＜音声ファイルの連結の概要＞
上述したように、全体制御部５０のファイル連結作成機能は、複数の音声ファイルを連結して一つの新たな音声ファイルを作成する機能である。
【０１３７】
まず、ファイル連結作成機能の詳細内容を説明する前に、ファイル連結作成機能における音声ファイルの連結について概説する。
【０１３８】
図１４は、音声ファイルの連結を説明するための概念図である。なお、図１４では、一例として、図５及び図６に示す２つの音声ファイル（Ｐｉｃｔ０１０１．ｗａｖ，Ｐｉｃｔ０１０３．ｗａｖ）が連結されて作成される新たな音声ファイル（Ｐｉｃｔ０１１０．ｗａｖ）の構成を概念的に示している。
【０１３９】
図１４に示すように、新たな音声ファイル（Ｐｉｃｔ０１１０．ｗａｖ）は、所定形式（ここではＥｘｉｆ形式）のファイルとして作成される。具体的には、図５及び図６で示した音声ファイル（Ｐｉｃｔ０１０１．ｗａｖ，Ｐｉｃｔ０１０３．ｗａｖ）と同様に、音声ファイル（Ｐｉｃｔ０１１０．ｗａｖ）は、タグ情報ＴＧ、及びデジタル音声データＤＳを有するとともに、属性ＡＴが定められる。音声ファイル（Ｐｉｃｔ０１１０．ｗａｖ）に含まれるこれらのデータのうち、図５及び図６で示した音声ファイル（Ｐｉｃｔ０１０１．ｗａｖ，Ｐｉｃｔ０１０３．ｗａｖ）と異なる点は、タグ情報ＴＧに記述される「関連する音声ファイル」の情報と、音声データＤＳの部分のみである。なお、その他の点は、図５及び図６について上述したものと同様となるため説明を省略する。
【０１４０】
図１４では、関連する音声ファイル同士である音声ファイル（Ｐｉｃｔ０１０１．ｗａｖ，Ｐｉｃｔ０１０３．ｗａｖ）が連結されて一つの新たな音声ファイル（Ｐｉｃｔ０１１０．ｗａｖ）が作成され、連結対象であった音声ファイル（Ｐｉｃｔ０１０１．ｗａｖ，Ｐｉｃｔ０１０３．ｗａｖ）が削除される例について示している。この場合は、図１４に示すように、音声ファイル（Ｐｉｃｔ０１１０．ｗａｖ）のタグ情報ＴＧには「関連する音声ファイル」の情報が記述されない。なお、連結対象であった音声ファイルが削除されるか否かの設定については後述する。
【０１４１】
また、ここでは、関連する音声ファイル同士である音声ファイル（Ｐｉｃｔ０１０１．ｗａｖ，Ｐｉｃｔ０１０３．ｗａｖ）に格納される音声データＤＳ１，ＤＳ２が連結された一連の音声データＤＳが新たな音声ファイル（Ｐｉｃｔ０１１０．ｗａｖ）内に記述される。換言すれば、ここでは、複数の音声ファイルに含まれる音声データをつなぎ合わせて一つの音声データとしたものを新たな音声ファイルに格納する。なお、このような連結によって作成された音声ファイル（Ｐｉｃｔ０１１０．ｗａｖ）に基づいて音声を再生するときは、まず、Ｐｉｃｔ０１０１．ｗａｖに格納されていた音声データＤＳ１に由来する音声が再生され、続いて、Ｐｉｃｔ０１０３．ｗａｖに格納されていた音声データＤＳ２に由来する音声が再生される。
【０１４２】
＜ファイル連結作成機能に関する状態遷移＞
図１５はデジタルカメラ１におけるファイル連結作成機能に関する状態遷移図であり、ＬＣＤ５における表示状態を中心に示す図である。図１５の角丸四角の中には、図８と同様に、ＬＣＤ５における表示画面が示されている。また、図１５の状態ＳＴ２５の四角中には、ＬＣＤ５の表示画面ではなく、状態ＳＴ２５におけるデータ処理の内容が記述されている。ここでは、図１５を参照しながらデジタルカメラ１におけるファイル連結作成機能に関する状態遷移の概要について説明する。なお、図１５における各メニュー画面の各項目の左端に表示される３種類の記号（白い菱形、黒い菱形、×印）の意味については図８において説明したものと同様となっている。
【０１４３】
図１５に示すように、図８において示した状態ＳＴ２１における再生メニューにおいて、操作者が、上下方向のキー７ａ又は７ｂを用いて選択項目「編集」を選択し、選択項目「編集」の記号が黒い菱形に変更された状態で、実行ボタン８ａを押下すると、状態ＳＴ２２に移行し、メニューボタン８ｂを押下すると状態ＳＴ２１に戻る。状態ＳＴ２２は、編集モードでの画像データ及び音声データに対する各種編集メニュー（「回転」、「明るさ」、「色変換」、「アフターレコーディング」、「動画編集」、「音声編集」のメニュー）の選択を行うことが可能な状態であり、各種編集動作を行うためのメニュー画面である「編集メニュー」がＬＣＤ５に表示される。状態ＳＴ２２においては、再生中の撮影画像や音声アイコン等が背景画像として表示されたまま、メニュー画面がオーバーレイ表示される。
【０１４４】
状態ＳＴ２２における編集メニューにおいて、操作者が、上下方向のキー７ａ又は７ｂを用いて選択項目「音声編集」を選択し、選択項目「音声編集」の記号が黒い菱形に変更された状態で、実行ボタン８ａを押下すると、状態ＳＴ２３に移行し、メニューボタン８ｂを押下すると状態ＳＴ２２に戻る。状態ＳＴ２３は、音声編集モードでの音声データに対する各種編集メニュー（「▲１▼関連する音声をひとまとめにする」、「▲２▼選択した音声をひとまとめにする」のメニュー）の選択を行うことが可能な状態であり、各種音声編集動作を行うためのメニュー画面である「音声編集メニュー」がＬＣＤ５に表示される。状態ＳＴ２３においても、再生中の撮影画像や音声アイコン等が背景画像として表示されたまま、メニュー画面がオーバーレイ表示される。
【０１４５】
状態ＳＴ２３における音声編集メニューにおいて、操作者が、上下方向のキー７ａ又は７ｂを用いて選択項目「▲２▼選択した音声をひとまとめにする」を選択し、選択項目▲２▼の記号が黒い菱形に変更された状態で、実行ボタン８ａを押下すると、状態ＳＴ２４に移行し、メニューボタン８ｂを押下すると状態ＳＴ２３に戻る。一方、操作者が、上下方向のキー７ａ又は７ｂを用いて選択項目「▲１▼関連する音声をひとまとめにする」を選択し、選択項目▲１▼の記号が黒い菱形に変更された状態で、実行ボタン８ａを押下すると、「▲１▼関連する音声をひとまとめにする」処理の実行が指示されたものとして、状態ＳＴ２５に移行する。
【０１４６】
状態ＳＴ２４は、音声編集の対象となる音声ファイルを選択して選択した音声ファイルの連結を実行するための音声編集処理（以下、「対象選択−連結処理」と称する）に関する各種実行メニュー（「▲１▼連結対象にする」、「▲２▼連結対象から外す」、「▲３▼対象を再生・確認」、「▲４▼連結処理を実行」のメニュー）の選択を行うことが可能な状態であり、対象選択−連結処理に関する各種実行を行うためのメニュー画面である「音声編集−対象選択メニュー」がＬＣＤ５に表示される。また、この状態ＳＴ２４では、ＬＣＤ５に表示される「音声編集−対象選択メニュー」の下方に、音声ファイルのファイル名のうちのシリアル番号ＳＮと、音声アイコンＳＢと、チェックボックスＣＢとが表示される。
【０１４７】
また、状態ＳＴ２４では、左右方向のキー７ｃ又は７ｄを押下する毎に、音声ファイルに係るシリアル番号ＳＮ（メモリカード９０に記録される音声ファイルのうちの対象となる音声ファイル）が前方向あるいは後方向に順次に変更される。
【０１４８】
この状態ＳＴ２４における音声編集−対象選択メニューにおいて、操作者が、上下方向のキー７ａ又は７ｂを用いて選択項目「▲１▼連結対象にする」を選択し、選択項目▲１▼の記号が黒い菱形に変更された状態で、実行ボタン８ａを押下すると、チェックボックスＣＢにチェックマークが記入され、表示されるシリアル番号ＳＮに対応する音声ファイルが連結処理の対象として選択される。つまり、ここでは、全体制御部５０が、連結される対象である複数の音声ファイルを、操作者の選択操作に基づいて決定する。ここで、連結対処として選択された音声ファイルのファイル名は、全体制御部５０の制御下でＲＡＭ５０ａにおいて管理される。
【０１４９】
また、操作者が、上下方向のキー７ａ又は７ｂを用いて選択項目「▲２▼連結対象から外す」を選択し、選択項目▲２▼の記号が黒い菱形に変更された状態で、実行ボタン８ａを押下すると、チェックボックスＣＢに記入されていたチェックマークが消えて、表示されるシリアル番号ＳＮに係る音声ファイルが連結処理の対象から外される。
【０１５０】
さらに、操作者が、上下方向のキー７ａ又は７ｂを用いて選択項目「▲３▼連結対象を再生・確認」を選択し、選択項目▲３▼の記号が黒い菱形に変更された状態で、実行ボタン８ａを押下すると、ＬＣＤ５上に表示されるシリアル番号ＳＮに対応する音声ファイルに格納される音声データに基づいた音声がスピーカ１３から出力される。操作者は、この出力される音声によって、音声ファイルの内容を確認し、連結対象とするか否かの判断材料とすることができる。
【０１５１】
そして、操作者が、上下方向のキー７ａ又は７ｂを用いて選択項目「▲４▼連結処理を実行」を選択し、選択項目▲４▼の記号が黒い菱形に変更された状態で、実行ボタン８ａを押下すると、「▲２▼選択した音声をひとまとめにする」処理の実行が指示されたものとして、状態ＳＴ２５に移行する。
【０１５２】
状態ＳＴ２５では、状態ＳＴ２３から移行してきた場合は、メモリカード９０に記録された複数の音声ファイルに付与された関連付け情報に基づいて、互いに関連する複数の音声ファイル（例えば、図５及び図６に示す音声ファイル（Ｐｉｃｔ０１０１．ｗａｖ，Ｐｉｃｔ０１０３．ｗａｖ））を連結してひとまとめにする。一方、状態ＳＴ２４から移行してきた場合は、ＲＡＭ５０ａにおいて管理される連結対象として選択された音声ファイルのファイル名に基づいて、連結対象である複数の音声ファイルを連結してひとまとめにする。その結果、編集済み（連結済み）の音声ファイル（例えば、音声ファイル（Ｐｉｃｔ０１１０．ｗａｖ））を新規作成し、状態ＳＴ２１に移行する。また、状態ＳＴ２５では、新規音声ファイルを作成した際に、カメラの設定に応じて、連結対象であった元の音声ファイル（例えば、音声ファイル（Ｐｉｃｔ０１０１．ｗａｖ，Ｐｉｃｔ０１０３．ｗａｖ））をメモリカード９０から削除する。
【０１５３】
なお、状態ＳＴ２５で言うカメラの設定は以下のように設定することができる。まず、状態ＳＴ２１からカメラのセットアップメニュー画面がＬＣＤ５に表示される状態ＳＴ２９に遷移させ、状態ＳＴ２９において、操作者による上下方向のキー７ａ又は７ｂ及び実行ボタン８ａの操作によって「元のファイルを削除」又は「元のファイルを残す」を選択することで設定することができる。具体的には、状態ＳＴ２９において「元のファイルを削除」が選択設定された場合は、状態ＳＴ２５で、その設定を参照して、連結対象であった元の音声ファイルをメモリカード９０から削除する。一方、状態ＳＴ２９において「元のファイルを残す」が選択設定された場合は、状態ＳＴ２５で、その設定を参照して、連結対象であった元の音声ファイルをメモリカード９０に保存したままとする。なお、状態ＳＴ２９で設定されるカメラ設定は、全体制御部５０によって管理される。
【０１５４】
以下、状態ＳＴ２５における音声ファイルの連結、及び新規音声ファイルの作成動作について詳述する。
【０１５５】
＜音声ファイルの連結・新規音声ファイルの作成に関する動作フロー＞
図１６及び図１７は音声ファイルの連結、及び新規音声ファイルの作成に関する動作フローを示すフローチャートである。本動作は、図１５の状態ＳＴ２５における動作であり、全体制御部５０の制御によって実行される。
【０１５６】
図１６は、図１５において状態ＳＴ２３から状態ＳＴ２５へ移行してきた場合における動作フロー（▲１▼関連する音声をひとまとめにする動作フロー）を示しており、図１７は、図１５において状態ＳＴ２４から状態ＳＴ２５へ移行してきた場合における動作フロー（▲２▼選択した音声をひとまとめにする動作フロー）を示している。
【０１５７】
＜関連する音声をひとまとめにする動作フロー＞
まず、操作者が、図１５の状態ＳＴ２３において、上下方向のキー７ａ又は７ｂを用いて選択項目「▲１▼関連する音声をひとまとめにする」を選択し、選択項目▲１▼の記号が黒い菱形に変更された状態で、実行ボタン８ａを押下すると、状態ＳＴ２５に移行し、▲１▼関連する音声をひとまとめにする動作フローが開始し、ステップＳ６１に進む。
【０１５８】
ステップＳ６１では、メモリカード９０に記録された音声ファイルを対象にタグ情報ＴＧを検索し、関連するファイル（連結対象の音声ファイル）の一つの組を抽出しステップＳ６２に進む。ここでは、メモリカード９０に記録された複数の音声ファイルに付与された関連付け情報に基づいて、互いに関連する複数の音声ファイルを抽出する。例えば、図５及び図６に示すタグ情報ＴＧを検索し、関連するファイルの組として２つの音声ファイル（Ｐｉｃｔ０１０１．ｗａｖ，Ｐｉｃｔ０１０３．ｗａｖ）を抽出する。つまり、ここでは、連結される対象である複数の音声ファイルを、連結対象である複数の音声ファイルに付与された関連付け情報に基づいて判別する。よって、本来一つのファイルにすべき複数の音声ファイル等を容易に判別することができるため、音声データの編集時における操作性の向上を図ることができる。
【０１５９】
なお、ステップＳ６１では、例えば、メモリカード９０内に格納される音声ファイルについて、ファイル名のシリアル番号が小さなものから順に、連結対象となる音声ファイルの一つの組を抽出する。
【０１６０】
ステップＳ６２では、関連する音声ファイルの組があるか否かを判別する。ここでは、ステップＳ６１で関連する音声ファイルの組を抽出できた場合は、ステップＳ６３に進み、抽出できなかった場合は、▲１▼関連する音声をひとまとめにする動作フローを終了する。
【０１６１】
ステップＳ６３では、関連する音声ファイルの連結を行い、ステップＳ６４に進む。ここでは、関連する音声ファイルのうち、ファイル名のシリアル番号が最も小さな（若い）音声ファイルに含まれる音声データを先頭にして、シリアル番号が小さなものから順に、音声ファイルに含まれる音声データを連結し（つなぎ合わせ）、ひとまとまりの音声データを生成する。例えば、図１４に示すように、図５及び図６に示す２つの音声ファイル（Ｐｉｃｔ０１０１．ｗａｖ，Ｐｉｃｔ０１０３．ｗａｖ）が連結される際には、シリアル番号が最も小さな音声ファイル（Ｐｉｃｔ０１０１．ｗａｖ）に含まれる音声データＤＳ１を先頭にして、シリアル番号が小さなものから順に連結されるように、音声データＤＳ１の次に音声データＤＳ２を連結してひとまとまりの音声データＤＳを生成する。
【０１６２】
ステップＳ６４では、新規音声ファイルを作成して、ファイル名を付与し、ステップＳ６５に進む。ここでは、メモリカード９０内に新規なファイルを作成して、ステップＳ６３において生成されたひとまとまりの音声データを新規ファイルに格納して新規な音声ファイルを生成するとともに、新規ファイルにファイル名を付与する。なお、ファイル名の付与に関しては、例えば、直近においてメモリカード９０内に記録されたファイルのシリアル番号が０１０９であったとすると、図１４に示すように、新規音声ファイルには次のシリアル番号である０１１０が付与され、その結果、新規音声ファイルに対してファイル名（Ｐｉｃｔ０１１０．ｗａｖ）が付与される。
【０１６３】
ステップＳ６５では、連結対象の音声ファイルに関連する画像ファイルがあるか否かを判別する。ここでは、連結対象であった音声ファイルのタグ情報ＴＧ内に関連する画像ファイルの情報が記述されていれば、ステップＳ６６に進み、格納されていなければ、ステップＳ６７に進む。例えば、図５及び図６に示す音声ファイルが連結対象であった場合には、音声ファイル（Ｐｉｃｔ０１０１．ｗａｖ，Ｐｉｃｔ０１０３．ｗａｖ）のタグ情報ＴＧ内に関連する画像ファイルの情報（Ｐｉｃｔ０１０２．ｊｐｇ）が記述されているため、連結対象の音声ファイルに関連する画像ファイルが存在するものとしてステップＳ６６に進む。
【０１６４】
ステップＳ６６では、ステップＳ６４において新規に作成された音声ファイルのタグ情報ＴＧに関連する画像ファイルの情報を記述し、ステップＳ６７に進む。ここでは、連結対象の音声ファイルのタグ情報ＴＧ内に記述された関連する画像ファイルの情報に基づいて、新規音声ファイルのタグ情報ＴＧに関連する画像ファイルの情報を記述する。つまり、ここでは、連結対象である複数の音声ファイルに付与された関連付け情報に基づいた他のファイルとの間の関連付け情報を、新規音声ファイルのタグ情報内に付与する。その結果、ファイル相互間の関連付け情報を簡単に生成することができる。なお、この連結対象である複数の音声ファイルに付与された関連付け情報に基づいて、新規音声ファイルに付与する関連付け情報を生成する方法は、最も簡単かつ容易な方法であるとも言える。
【０１６５】
例えば、図５及び図６に示す音声ファイルが連結対象であった場合には、音声ファイル（Ｐｉｃｔ０１０１．ｗａｖ，Ｐｉｃｔ０１０３．ｗａｖ）のタグ情報ＴＧ内に記述される関連する画像ファイルの情報（Ｐｉｃｔ０１０２．ｊｐｇ）を、図１４に示すように、新規音声ファイルのタグ情報ＴＧ内にそのまま記述する。この場合には、連結対象の音声ファイルは共通して一つの画像ファイル（Ｐｉｃｔ０１０２．ｊｐｇ）と関連していたため、連結されて作成された新規音声ファイルに対しても、画像ファイル（Ｐｉｃｔ０１０２．ｊｐｇ）が関連するためである。
【０１６６】
なお、ここでは、関連する音声ファイル同士が連結されるため、関連する音声ファイルの情報は、新規音声ファイルのタグ情報ＴＧ内には記述されない。
【０１６７】
つまり、ここでは、新規音声ファイルに付与される関連する画像ファイルの情報と、連結対象であった複数の音声ファイルに付与された関連する画像ファイルの情報とは同様となるが、関連する音声ファイルの情報は異なるものとなる。換言すれば、ここでは、新規音声ファイルの作成時に、連結対象であった複数の音声ファイルに付与された関連付け情報とは異なる、他のファイルとの間の関連付け情報を、新規音声ファイルに対して付与する。その結果、音声ファイルの連結によって連結前とは変化するファイル相互間の関連を適切に反映し、保持することができる。
【０１６８】
ステップＳ６７では、カメラの設定が連結対象の元の音声ファイルを削除する設定となっているか否かを判別する。ここでは、図１５に示す状態ＳＴ２９で「元のファイルを削除」が選択設定されている場合には、ステップＳ６８に進み、「元のファイルを残す」が選択設定されている場合には、ステップＳ６９に進む。
【０１６９】
ステップＳ６８では、連結対象の元の音声ファイルを削除し、ステップＳ６９に進む。つまり、ここでは、複数の音声ファイルを連結して一つの新規音声ファイルを作成した後に、連結対象であった元の音声ファイルを削除する。例えば、図５及び図６に示す２つの音声ファイル（Ｐｉｃｔ０１０１．ｗａｖ，Ｐｉｃｔ０１０３．ｗａｖ）が連結対象の元の音声ファイルであった場合には、これら２つの音声ファイル（Ｐｉｃｔ０１０１．ｗａｖ，Ｐｉｃｔ０１０３．ｗａｖ）をメモリカード９０内から削除する。このように、ここでは、複数の音声ファイルを連結して一つの新たな音声ファイルを作成した後に、設定に応じて、連結対象であった元の複数の音声ファイルを削除する。よって、連結対象であった元の複数の音声ファイルと、連結後の新規音声ファイルとにおける音声データの重複記録を回避することで、メモリカード９０内に記録される余分なファイルを削減することができる。その結果、メモリカード９０の記録容量を有効利用することができる。
【０１７０】
ステップＳ６９では、新規音声ファイルに関連する画像ファイルのタグ情報に記述された関連する音声ファイルの情報を更新し、ステップＳ７０に進む。ここでは、ステップＳ６６で新規音声ファイルのタグ情報ＴＧ内に記述された画像ファイルの情報に基づいて、新規音声ファイルに関連する画像ファイルを検出し、音声ファイルの連結処理によって、変化した音声ファイルとの関連を反映させるために、その検出された画像ファイルのタグ情報に記述された音声ファイルの情報を更新する。即ち、新規音声ファイルの作成に基づいて、撮影画像ファイルに付与された関連付け情報を更新する。
【０１７１】
例えば、図５及び図６に示す２つの音声ファイル（Ｐｉｃｔ０１０１．ｗａｖ，Ｐｉｃｔ０１０３．ｗａｖ）が連結されて新規音声ファイル（Ｐｉｃｔ０１１０．ｗａｖ）が作成された場合には、新規音声ファイルに関連する画像ファイル（Ｐｉｃｔ０１０２．ｊｐｇ）のタグ情報ＴＧ内に、関連する音声ファイルの情報として新規音声ファイルの情報（Ｐｉｃｔ０１１０．ｗａｖ）が記述される。また、ステップＳ６８において、連結元の音声ファイル（Ｐｉｃｔ０１０１．ｗａｖ，Ｐｉｃｔ０１０３．ｗａｖ）を削除した場合には、新規音声ファイルに関連する画像ファイル（Ｐｉｃｔ０１０２．ｊｐｇ）のタグ情報ＴＧ内に記述されていた関連する音声ファイルの情報（Ｐｉｃｔ０１０１．ｗａｖ，Ｐｉｃｔ０１０３．ｗａｖ）が削除される。
【０１７２】
このように、関連付けられた複数の音声ファイル同士を連結して新たな音声ファイルを作成する際に、連結対象の複数の音声ファイルと関連する撮影画像ファイルに付与された音声ファイルとの関連付け情報を更新する。その結果、例えば、ステップＳ６８において削除され、既に存在しなくなった音声ファイルとの関連付け情報が付与されたままとなる矛盾によって生じる不都合等、関連付け情報を更新しないことによる不都合の発生を回避することができる。また、新規音声ファイルと撮影画像ファイルとの関連も分かるようにすることができる。
【０１７３】
ステップＳ７０では、次の連結対象を指定する動作に移行し、ステップＳ６１に進む。ここでは、既に連結した音声ファイルを再度連結対象として抽出しないように、既に連結した音声ファイルについての情報をＲＡＭ５０ａ内で管理しつつ、その他の音声ファイルから次の連結対象を指定するように設定する。例えば、既に２つの音声ファイル（Ｐｉｃｔ０１０１．ｗａｖ，Ｐｉｃｔ０１０３．ｗａｖ）が連結された場合には、その後の動作フローにおいて、再度２つの音声ファイル（Ｐｉｃｔ０１０１．ｗａｖ，Ｐｉｃｔ０１０３．ｗａｖ）を連結対象として抽出（指定）しないように設定する。
【０１７４】
＜選択した音声をひとまとめにする動作フロー＞
まず、操作者が、図１５の状態ＳＴ２４において、上下方向のキー７ａ又は７ｂを用いて選択項目「▲４▼連結処理を実行」を選択し、選択項目▲４▼の記号が黒い菱形に変更された状態で、実行ボタン８ａを押下すると、状態ＳＴ２５に移行し、▲２▼選択した音声をひとまとめにする動作フローが開始し、ステップＳ７１に進む。
【０１７５】
ステップＳ７１では、ファイル名のシリアル番号が若い（小さい）順に連結対象となる音声ファイルを検索し、ステップＳ７２に進む。ここでは、図１５の状態ＳＴ２４において選択され、ＲＡＭ５０ａにおいて管理される連結対象として選択された音声ファイルのファイル名を対象として、ファイル名のシリアル番号が小さなものから順に連結対象となる音声ファイルを検索し、特定する。例えば、図５及び図６に示す音声ファイルが連結対象として、そのファイル名（Ｐｉｃｔ０１０１．ｗａｖ，Ｐｉｃｔ０１０３．ｗａｖ）がＲＡＭ５０ａ内で管理されている場合には、まず、ファイル名のシリアル番号が小さな音声ファイル（Ｐｉｃｔ０１０１．ｗａｖ）が連結対象となる音声ファイルとして特定される。
【０１７６】
ステップＳ７２では、連結対象の音声ファイルがあるか否かを判別する。ここでは、ステップＳ７１で連結対象となる音声ファイルが特定できなかった場合は、ステップＳ７３に進み、特定できた場合はステップＳ７５に進む。
【０１７７】
ステップＳ７５では、音声ファイルの連結によって作成される新規音声ファイルが既に存在しているか否かを判別する。ここでは、新規音声ファイルが既に存在していると判別される場合は、ステップＳ７７に進み、存在していないと判別される場合は、ステップＳ７６に進む。
【０１７８】
この▲２▼選択した音声をひとまとめにする動作では、新規音声ファイルを作成して、その新規音声ファイル内に、連結対象となる音声ファイルに格納される音声データを順次連結して格納するため、連結対象として処理される音声ファイルが一つ目である場合は、新規音声ファイルを作成する。一方、連結対象として処理される音声ファイルが二つ目以降である場合には、新規音声ファイルが既に作成されている。よって、ステップＳ７５では、新規音声ファイルが既に存在しているか否かを判別するのである。
【０１７９】
ステップＳ７６では、音声データの部分が空（音声データが存在していない状態）の新規音声ファイルを作成して、新規音声ファイルに対してファイル名を付与し、ステップＳ７７に進む。このステップにおけるファイル名の付与に関しては、例えば、直近においてメモリカード９０内に記録されたファイルのシリアル番号が０１０９であったとすると、図１４に示すように、新規音声ファイルには次のシリアル番号である０１１０が付与される。
【０１８０】
ステップＳ７７では、新規音声ファイルに連結対象の音声ファイルの音声データを連結し（つなぎ合わせ）、ステップＳ７８に進む。ここでは、ステップＳ７６から進んできた場合は、新規ファイルの音声データの部分が空であるため、ステップＳ７１において特定された連結対象の音声ファイルに格納される音声データが新規ファイル内に単に格納される。一方、ステップＳ７５から進んできた場合は、新規ファイルの音声データの部分には、連結対象であった音声ファイルに格納される音声データが既に記録されているため、既に記録された音声データの後ろに、ステップＳ７１において新たに連結対象として特定された音声ファイルに格納される音声データを連結する。
【０１８１】
例えば、図１４に示すように、新たな音声ファイル（Ｐｉｃｔ０１１０．ｗａｖ）が作成される際には、まず、音声データの部分が空である新規音声ファイル（Ｐｉｃｔ０１１０．ｗａｖ）が作成され、ステップＳ７１で特定された連結対象の音声ファイル（Ｐｉｃｔ０１０１．ｗａｖ）に格納される音声データＤＳ１が新規ファイル（Ｐｉｃｔ０１１０．ｗａｖ）内に単に格納される。その後、新規音声ファイル（Ｐｉｃｔ０１１０．ｗａｖ）に既に記録された音声データＤＳ１の後ろに、新たに連結対象として特定された音声ファイル（Ｐｉｃｔ０１０３．ｗａｖ）に格納される音声データＤＳ２を連結する。
【０１８２】
ステップＳ７８では、図１６のステップＳ６５と同様に、連結対象の音声ファイルに関連する画像ファイルがあるか否かを判別する。ここでは、連結対象である音声ファイルのタグ情報ＴＧ内に関連する画像ファイルの情報が記述されていれば、ステップＳ７９に進み、記述されていなければ、ステップＳ８０に進む。
【０１８３】
ステップＳ７９では、図１６のステップＳ６６と同様に、ステップＳ７６において新規に作成された音声ファイルのタグ情報ＴＧに関連する画像ファイルの情報を記述し、ステップＳ８０に進む。ここでは、連結対象の音声ファイルのタグ情報ＴＧ内に記述された関連する画像ファイルの情報に基づいて、新規音声ファイルのタグ情報ＴＧに関連する画像ファイルの情報を記述する。
【０１８４】
ステップＳ８０では、図１６のステップＳ６７と同様に、カメラの設定が連結対象の元の音声ファイルを削除する設定となっているか否かを判別する。ここでは、図１５に示す状態ＳＴ２９で「元のファイルを削除」が選択設定されている場合には、ステップＳ８１に進み、「元のファイルを残す」が選択設定されている場合には、ステップＳ８２に進む。
【０１８５】
ステップＳ８１では、図１６のステップＳ６８と同様に、連結対象の元の音声ファイルを削除し、ステップＳ８２に進む。
【０１８６】
ステップＳ８２では、次の連結対象を特定する動作に移行し、ステップＳ７１に進む。ここでは、既に特定した音声ファイルを連結対象として再度特定しないように、既に特定した音声ファイルについての情報をＲＡＭ５０ａ内で管理しつつ、次の連結対象を特定するように設定する。例えば、既に１つの音声ファイル（Ｐｉｃｔ０１０１．ｗａｖ）が連結対象として特定されて、音声ファイル（Ｐｉｃｔ０１０１．ｗａｖ）内に格納される音声データが新規音声ファイル（Ｐｉｃｔ０１１０．ｗａｖ）に記録されたとすると、音声ファイル（Ｐｉｃｔ０１０１．ｗａｖ）が連結対象して再度特定されないように、ＲＡＭ５０ａ内に音声ファイル（Ｐｉｃｔ０１０１．ｗａｖ）の連結が既に終了した旨を記憶・管理する。
【０１８７】
ステップＳ７３では、音声ファイルの連結処理を行って新規音声ファイルを作成したか否かを判別する。ここでは、ステップＳ７７において音声ファイルの連結処理を行った場合は、ステップＳ７４に進み、音声ファイルの連結処理を行わなかった場合は、▲２▼選択した音声をひとまとめにする動作フローを終了する。
【０１８８】
ステップＳ７４では、ステップＳ７６で作成される新規音声ファイルに関連する画像ファイルのタグ情報に記述された関連する音声ファイルの情報を更新し、▲２▼選択した音声をひとまとめにする動作フローを終了する。ここでは、図１６のステップＳ６９と同様に、ステップＳ７９で新規音声ファイルのタグ情報ＴＧ内に記述された画像ファイルの情報に基づいて、新規音声ファイルに関連する画像ファイルを検出し、その検出された画像ファイルのタグ情報に、音声ファイルの連結処理によって変化した音声ファイルとの関連を反映させるために、記述された音声ファイルの情報を更新する。
【０１８９】
ここでは、連結対象となる音声ファイルを操作者が操作部３０を操作することにより、選択することができる。そのため、音声ファイルの連結処理等の編集における自由度を高くすることができる。
【０１９０】
以上説明したように、第１実施形態に係るデジタルカメラ１では、録音中に作成される複数の音声ファイル間の関連付け情報を、それらの複数の音声ファイルのタグ情報内に付与する。その結果、タグ情報内の関連付け情報を参照することにより、音声ファイル同士の関係が直接分かるようになるため、音声ファイルの管理を容易とすることができる。
【０１９１】
また、中断を含む一連の録音に基づいて、中断前及び中断後にそれぞれ音声ファイルを作成し、その複数の音声ファイルの間の関連付け情報を、それら複数の音声ファイルに付与する。その結果、タグ情報内を関連付け情報を参照することにより、音声ファイル同士の関係が直接分かるようになるため、音声ファイルの管理を容易とすることができる。
【０１９２】
さらに、撮影による中断を含む録音において、中断前後の録音中にそれぞれ作成される音声ファイルと、録音の中断における撮影によって取得される撮影画像データを格納する画像ファイルとの関係を示す関連付け情報を、ＤＣＦの規格のファイルのフォーマット規格に準拠したタグ情報内に記述することにより、音声ファイルと画像ファイルとを互いに関連付ける。その結果、関連する一セットの情報を、汎用性を維持しつつ、効率良くまとめることができる。
【０１９３】
また、メモリカード９０内に記録される音声ファイルのうちから、音声ファイルのタグ情報内に記述される関連付け情報に基づいて、連結対象となる複数の音声ファイルを指定するか、又は、操作者の操作に基づいて複数の音声ファイルを連結対象として選択する。そして、録音中に作成される複数の音声ファイルを連結して、一つの新たな音声ファイルを作成する。
【０１９４】
言い換えれば、デジタルカメラ１内の全体制御部５０では、録音機能を有するデジタルカメラ１によって作成された複数の音声ファイルに対してデジタルカメラ１によって複数の音声ファイル間の関連付け情報を付与する。そして、その複数の音声ファイルに付与された関連付け情報に基づいて、連結対象となる複数の音声ファイルを決定する。さらに、その決定された連結対象となる複数の音声ファイルを連結して一つの新たな音声ファイルを作成する。
【０１９５】
その結果、関連する音声データを一つの音声ファイル内にまとめることができるため、デジタルカメラ１によって作成される音声ファイルの管理を容易とすることができる。
【０１９６】
＜（２）第２実施形態＞
＜画像処理装置の概要＞
上述した第１実施形態では、デジタルカメラ１で録音される複数の音声ファイルを、デジタルカメラ１内で連結して一つの新規音声ファイルを作成したが、第２実施形態では、デジタルカメラ１で録音し、作成される複数の音声ファイルを、デジタルカメラ１とは別個の画像処理装置１００内で連結して一つの新規音声ファイルを作成する。
【０１９７】
図１８は、第２実施形態に係る画像処理装置１００の外観構成を示す図である。画像処理装置１００は、一般的なパーソナルコンピュータ（パソコン）等によって構成され、各種画像処理のメニューや撮影画像や音声アイコン等を表示するためのモニタ表示部１１０と、画像処理を実施するためのＣＰＵ等を内蔵する制御部１２０と、操作者が各種入力操作を行うためのキーボード１３１及びマウス１３２を含む操作部１３０とを備えて構成される。
【０１９８】
制御部１２０は、デジタルカメラ１で記録された撮影画像データ及び音声データを格納するメモリカード９０を装着するメモリカードリーダ１２１と、音声ファイルの連結処理をＣＰＵにおいて実行させることが可能なソフトウェア（プログラム）を記録する記録媒体ＣＤを装着する着装部１２２とを備える。そして、制御部１２０は、メモリカードリーダ１２１に着装されるメモリカード９０から各種データを読出すことができる。
【０１９９】
また、制御部１２０では、着装部１２２に着装される記録媒体ＣＤからソフトウェアを読出して、制御部１２０内のＣＰＵに読み込むことで、種々の機能を実現する。例えば、制御部１２０が、デジタルカメラ１の再生モードと同様な機能を実現する。つまり、制御部１２０が、音声ファイルの連結処理機能を含む再生モードの機能を実現する。
【０２００】
操作部１３０は、デジタルカメラ１の操作部３０と同様な機能・役割を果たし、例えば、キーボード１３１のリターンキー、Ｆ１キー、及びカーソルキーに対して実行ボタン８ａ、メニューボタン８ｂ、及びカーソルボタン７の機能・役割が割り振られる。つまり、第２実施形態では、第１実施形態と同様となる部分について説明を省略する際には、第１実施形態で実行ボタン８ａ、メニューボタン８ｂ、及びカーソルボタン７の押下操作による動作は、キーボード１３１のリターンキー、Ｆ１キー、及びカーソルキーの押下操作による動作に置き換わるものとする。
【０２０１】
＜画像処理装置における状態遷移＞
図１９は、画像処理装置１００における音声ファイルの連結処理機能に関する状態遷移図であり、モニタ表示部１１０における表示状態を中心に示す図である。なお、ここでは、画像処理装置１００において、制御部１２０が着装部１２２に着装される記録媒体ＣＤからソフトウェア（処理ソフト）を読出して、音声ファイルの連結処理機能を含む処理ソフトを起動させると、図１９の状態ＳＴ３０となる。
【０２０２】
状態ＳＴ３０は、処理の対象となるファイルが格納されているフォルダを選択することが可能な状態であり、処理の対象となるフォルダ（対象フォルダ）を指定するためのメニュー画面である対象フォルダ指定メニューがモニタ表示部１１０に表示される。状態ＳＴ３０では、操作者による操作部１３０の押下操作に基づいて画面上でフォルダを選択することができ、対象フォルダを指定して、リターンキーを押下すると、指定されたフォルダが対象フォルダとして選択され、状態ＳＴ４０に移行する。
【０２０３】
状態ＳＴ４０は、モニタ表示部１１０に再生画像等が表示されている状態である。状態ＳＴ４０に移行すると、状態ＳＴ３０で指定されたフォルダ内に記憶される撮影画像及び記録音声のうち、直近に撮影された画像又は直近に録音された音声に対応する音声アイコン等がモニタ表示部１１０に表示される。また、左右方向のキーを押下する毎に、モニタ表示部１１０での表示対象ファイルが前方向あるいは後方向に順次に変更される。
【０２０４】
また、状態ＳＴ４０においてＦ１キーを押下すると状態ＳＴ３１へと移行し、再びＦ１キーを押下すると状態ＳＴ４０に戻る。
【０２０５】
図１９に示す状態遷移図は、状態ＳＴ３０，ＳＴ４０を除くと、図１５で示す状態遷移図と類似しているため、図１９では、図１５で示す状態遷移図と同様な部分については、同様な符合を付して説明を省略し、以下、異なる３つの部分について主に説明する。
【０２０６】
異なる部分の１点目は、図１５の状態ＳＴ２１が図１９では状態ＳＴ３１となっており、状態ＳＴ２１における「再生メニュー」が状態ＳＴ３１では「メインメニュー」となっている。具体的には、「メインメニュー」では、「再生メニュー」の選択項目「カメラのセットアップ」が「環境設定」となっており、また、選択項目「終了」が追加されている。なお、状態ＳＴ３１においては、再生中の撮影画像や音声アイコン等が背景画像として表示されたまま、メニュー画面がオーバーレイ表示される。
【０２０７】
異なる部分の２点目は、図１５の状態ＳＴ２５が図１９では状態ＳＴ３５となっており、状態ＳＴ２５では、カメラ設定に応じて連結対象である元の音声ファイルを削除するが、状態ＳＴ３５では、後述する環境設定に応じて連結対象である元の音声ファイルを削除する。
【０２０８】
異なる部分の３点目は、図１５の状態ＳＴ２９が図１９では状態ＳＴ３９となっており、状態ＳＴ２９における「カメラのセットアップ」が状態ＳＴ３９では「環境設定」と画面の名称のみが異なる。
【０２０９】
そして、具体的な処理としては、状態ＳＴ３０で、「（Ｄ−１）処理の対象となるフォルダの選択」の実行を指示することができ、状態ＳＴ３１で、選択項目「終了」を選択してリターンキーを押下すると、処理ソフトの起動を終了する処理（以下、「（Ａ）終了処理」と称する）の実行を指示することができる。また、状態ＳＴ２３で、図１５において説明したものと同様な操作によって、「（Ｂ）関連する音声をひとまとめにする処理」の実行を指示することができる。さらに、状態ＳＴ２４で、図１５において説明したものと同様な操作によって、「（Ｃ）選択した音声をひとまとめにする処理」及び「（Ｄ−２）連結対象の音声ファイルの選択処理」の実行を指示することができる。なお、以下では、「（Ｄ−１）処理の対象となるフォルダの選択」及び「（Ｄ−２）連結対象の音声ファイルの選択処理」をまとめて「（Ｄ）処理対象のフォルダやファイルの選択処理」とも称する。
【０２１０】
また、その他の操作によって、「（Ｅ）その他の処理」の実行を指示することができる。なお、ここで言う（Ｅ）その他の処理には、上記（Ａ）〜（Ｄ）の処理以外の処理を全て含む。例えば、（Ｅ）の処理には、状態ＳＴ３９における環境設定や撮影画像の再生等の処理は勿論のこと、図１９に示す状態遷移に係る処理等の各種処理が含まれる。
【０２１１】
＜画像処理装置における動作フロー＞
図２０は、画像処理装置１００における音声ファイルの連結動作フローを含む動作フローを示すフローチャートである。以下、図１９に示すファイル連結作成機能に関する状態遷移図を参照しつつ、画像処理装置１００における動作フローについて説明する。
【０２１２】
まず、画像処理装置１００において、記録媒体ＣＤ内に格納されるソフトウェアが制御部１２０内のＣＰＵに読み込まれることで、ソフトウェアが起動し、図１９に示す状態ＳＴ３０となり、ステップＳ９１に進む。
【０２１３】
ステップＳ９１では、操作者による各種処理（Ａ）〜（Ｅ）の実行の指示（以下、「処理実行指示」と称する）があるか否かについて判別する。ここでは、操作者による指示がある場合は、ステップＳ９２に進み、指示がない限りはステップＳ９１の判別を繰り返す。
【０２１４】
ステップＳ９２では、操作者による処理実行指示の内容を判別する。ここでは、「（Ａ）終了処理」、が指示された処理であればソフトウェアを終了させる。また、「（Ｂ）関連する音声をひとまとめにする処理」が指示された処理であればステップＳ９３に進み、図１６で示した動作フロー（ステップＳ６１〜Ｓ７０）と同様な動作フローを実行し、ステップＳ９１に戻る。また、「（Ｃ）選択した音声をひとまとめにする処理」が指示された処理であればステップＳ９４に進み、図１７で示した動作フローと同様な動作フロー（ステップＳ７１〜Ｓ８２）を実行し、ステップＳ９１に戻る。また、「（Ｄ）処理対象のフォルダやファイルの選択処理」が指示された処理であれば、ステップＳ９５に進み、図１９における状態ＳＴ３０における対象フォルダの選択処理、又は、図１９（図１５）の状態ＳＴ２４における連結対象の選択動作に対応する処理を実行し、ステップＳ９１に戻る。さらに、「（Ｅ）その他の処理」が指示された処理であれば、ステップＳ９６に進み、その他、操作者による操作部１３０の操作に基づいた処理等の実行を行い、ステップＳ９１に戻る。
【０２１５】
ここで言う、ステップＳ９６における（Ｅ）その他の処理の具体例としては、例えば、状態ＳＴ４０において、操作部１３０の左右方向のキーを押下する毎に、モニタ表示部１１０での表示対象ファイルが前方向あるいは後方向に順次に変更される処理等が含まれる。さらに、状態ＳＴ３９における環境設定（音声をまとめるときに、元のファイルを削除する設定又は残す設定）等の処理も含まれる。
【０２１６】
以上説明したように、第２実施形態に係る画像処理装置１００では、第１実施形態に係るデジタルカメラ１と同様に、メモリカード９０内に記録される音声ファイルのうちから、音声ファイルのタグ情報内に記述される関連付け情報に基づいて、連結対象となる複数の音声ファイルを指定するか、又は、操作者の操作に基づいて複数の音声ファイルを連結対象として選択する。そして、録音中に作成される複数の音声ファイルを連結して、一つの新たな音声ファイルを作成する。
【０２１７】
また、言い換えれば、録音機能を有するデジタルカメラ１によって作成された複数の音声ファイルに対してデジタルカメラ１によって複数の音声ファイル間の関連付け情報を付与される。画像処理装置１００内の制御部１２０において、デジタルカメラ１によって複数の音声ファイルに付与された関連付け情報に基づいて、連結対象となる複数の音声ファイルを決定する。さらに、その決定された連結対象となる複数の音声ファイルを連結して一つの新たな音声ファイルを作成する。
【０２１８】
その結果、関連する音声データを一つの音声ファイル内にまとめることができるため、デジタルカメラ１によって作成される音声ファイルの管理を容易とすることができる。
【０２１９】
＜（３）その他＞
以上、この発明の実施形態について説明したが、この発明は上記説明した内容のものに限定されるものではない。
【０２２０】
◎例えば、上述した第１実施形態はデジタルカメラを対象とするものであったが、本発明を適用可能な対象としてはこれに限られるものではなく、例えば、適用対象がカメラ付きの携帯電話等であっても良い。また、上述した実施形態では、撮影画像や記録音声を取得する機器としてデジタルカメラを対象とするものであったが、撮影画像や記録音声を取得する機器としてはこれに限られるものではなく、例えば、適用対象がカメラ付きの携帯電話等であっても良い。なお、カメラ付きの携帯電話等も広い意味ではデジタルカメラとみることができる。
【０２２１】
◎また、上述した実施形態では、関連する音声ファイルの全てに対して、それぞれ、関連する音声ファイルの情報を付与したが、これに限られるものではなく、例えば、複数の関連する音声ファイルが存在する場合に、その複数の関連する音声ファイルのうちの少なくとも一つの音声ファイルに、関連する音声ファイルの情報を付与するようにしても良い。
【０２２２】
このような構成としても、関連する音声ファイルの情報が付与された音声ファイルのタグ情報を参照することで、関連する音声ファイル同士の関係が直接分かるようになるため、音声ファイルの管理を容易とすることができる。また、このような場合にも、複数の関連する音声ファイルのうちの少なくとも一つの音声ファイルに付与されたファイル間の関連付け情報に基づいて、複数の関連する音声ファイルを判別することができる。その結果、本来一つのファイルにすべき複数の音声ファイル等を容易に判別することができるため、音声データの編集時における操作性の向上を図ることができる。
【０２２３】
◎また、上述した実施形態では、関連する複数の音声ファイルをボイスレコードモードにおいて取得したが、これに限られるものではなく、画像に対するアフレコやボイスメモの機能によって録音を行い、関連する複数の音声ファイルを取得するようにしても良い。
【０２２４】
◎上述した具体的実施形態には以下の構成を有する発明が含まれている。
【０２２５】
（１）請求項３に記載のデジタルカメラであって、前記関連付け情報によって関連付けられた複数の音声ファイル同士を連結して一つの新たな音声ファイルを作成する連結作成手段と、前記連結作成手段による前記新たな音声ファイルの作成に基づいて、前記撮影画像ファイルに付与された関連付け情報を更新する更新手段と、をさらに備えることを特徴とするデジタルカメラ。
【０２２６】
（１）の発明によれば、関連付けられた複数の音声ファイル同士を連結して新たな音声ファイルを作成する際に、連結対象の複数の音声ファイルと関連する撮影画像ファイルに付与された音声ファイルとの関連付け情報を更新することにより、例えば削除により既に存在しなくなった音声ファイルとの関連付け情報が付与されたままとなる矛盾によって生じる不都合等の発生を回避することができる。
【０２２７】
（２）請求項４に記載のデジタルカメラであって、前記連結作成手段によって連結される複数の音声ファイルを、操作者の選択操作に基づいて決定する選択決定手段、をさらに備えることを特徴とするデジタルカメラ。
【０２２８】
（２）の発明によれば、連結対象の音声ファイルを操作者が選択することができるため、音声ファイルの編集における自由度を高くすることができる。
【０２２９】
（３）請求項４に記載のデジタルカメラであって、前記連結作成手段によって連結される複数の音声ファイルを、前記複数の音声ファイルのうち少なくとも一つの音声ファイルに付与された前記複数の音声ファイル間の関連付け情報に基づいて判別する判別手段、をさらに備えることを特徴とするデジタルカメラ。
【０２３０】
（３）の発明によれば、連結対象の複数の音声ファイルを、音声ファイルに付与されたファイル間の関連付け情報に基づいて判別することにより、一つのファイルにすべき複数の音声ファイルを容易に判別することができるため、音声データの編集時における操作性の向上を図ることができる。
【０２３１】
（４）請求項４、（２）、及び（３）のいずれかに記載のデジタルカメラであって、前記連結作成手段によって複数の音声ファイルを連結して前記一つの新たな音声ファイルを作成した後に、前記複数の音声ファイルを削除する削除手段、をさらに備えることを特徴とするデジタルカメラ。
【０２３２】
（４）の発明によれば、複数の音声ファイルを連結して一つの新たな音声ファイルを連結した後に、連結対象であった元の複数の音声ファイルを削除することにより、記録媒体等における余分なファイルを削減することができる。
【０２３３】
（５）請求項４、及び（２）から（４）のいずれかに記載のデジタルカメラであって、前記連結作成手段による前記新たな音声ファイルの作成時に、前記複数の音声ファイルに付与された関連付け情報とは異なる、他のファイルとの間の関連付け情報を、前記新たな音声ファイルに対して付与する付与手段、をさらに備えることを特徴とするデジタルカメラ。
【０２３４】
（５）の発明によれば、複数の音声ファイルを連結して新たな音声ファイルを作成する際に、元の複数の音声ファイルに付与された関連付け情報とは異なる他のファイルとの間の関連付け情報を、新たな音声ファイルに対して付与することにより、音声ファイルの連結によって連結前とは変化するファイル相互間の関連を適切に保持することができる。
【０２３５】
（６）（５）に記載のデジタルカメラであって、前記付与手段が、前記複数の音声ファイルに付与された関連付け情報に基づいた他のファイルとの間の関連付け情報を、前記新たな音声ファイルに対して付与することを特徴とするデジタルカメラ。
【０２３６】
（６）の発明によれば、複数の音声ファイルを連結して一つの新たな音声ファイルを作成する際に、新たな音声ファイルに付与される他のファイルとの間の関連付け情報を、元の複数の音声ファイルに付与されていた関連付け情報に基づいたものとすることにより、ファイル相互間の関連付け情報を（最も）簡単に生成することができる。
【０２３７】
【発明の効果】
以上説明したように、請求項１に記載の発明によれば、録音中に作成される複数の音声ファイル間の関連付け情報を、それら複数の音声ファイルのうちの少なくとも一つのファイルに付与することにより、音声ファイル同士の関係が直接分かるようになるため、音声ファイルの管理を容易とすることができる。
【０２３８】
また、請求項２に記載の発明によれば、中断を含む一連の録音に基づいて、中断前及び中断後にそれぞれ音声ファイルを作成し、その複数の音声ファイルの間の関連付け情報を、それら複数の音声ファイルのうちの少なくとも一つのファイルに付与するため、音声ファイルの管理を容易とすることができる。
【０２３９】
また、請求項３に記載の発明によれば、撮影による中断を含む録音において、中断前及び中断後にそれぞれ作成される音声ファイルと、録音の中断における撮影によって取得される撮影画像データを格納する画像ファイルとを互いに関連付けるため、関連する一セットの情報を汎用性を維持しつつ、効率良くまとめることができる。
【０２４０】
また、請求項４に記載の発明によれば、録音中に作成される複数の音声ファイルを連結して一つの新たな音声ファイルとすることにより、デジタルカメラによって作成される音声ファイルの管理を容易とすることができる。
【０２４１】
また、請求項５に記載の発明によれば、録音中に作成される複数の音声ファイルを連結して一つの新たな音声ファイルとすることにより、デジタルカメラによって作成される音声ファイルの管理を容易とすることができる。
【図面の簡単な説明】
【図１】本発明の第１実施形態に係るデジタルカメラの外観構成を示す図である。
【図２】本発明の第１実施形態に係るデジタルカメラの外観構成を示す図である。
【図３】デジタルカメラの内部機能を示すブロック図である。
【図４】メモリカード内のフォルダ構成を概念的に示す図である。
【図５】音声ファイルの構成を概念的に示す図である。
【図６】音声ファイルの構成を概念的に示す図である。
【図７】画像ファイルの構成を概念的に示す図である。
【図８】デジタルカメラにおける状態遷移図である。
【図９】録音中の割り込み撮影を説明するための概念図である。
【図１０】ファイル間の関連付けを概念的に示す図である。
【図１１】ボイスレコードモードにおける動作フローを示すフローチャートである。
【図１２】ボイスレコードモードにおける動作フローを示すフローチャートである。
【図１３】ボイスレコードモードにおける動作フローを示すフローチャートである。
【図１４】音声ファイルの連結を説明するための概念図である。
【図１５】デジタルカメラにおける状態遷移図である。
【図１６】音声ファイルの連結、及び新規音声ファイルの作成に関する動作フローを示すフローチャートである。
【図１７】音声ファイルの連結、及び新規音声ファイルの作成に関する動作フローを示すフローチャートである。
【図１８】第２実施形態に係る画像処理装置の外観構成を示す図である。
【図１９】画像処理装置における状態遷移図である。
【図２０】画像処理装置における動作フローを示すフローチャートである。
【符号の説明】
１  デジタルカメラ
５０  全体制御部（ファイル作成手段、付与手段、連結作成手段、更新手段、選択決定手段、判別手段、削除手段、）
９０  メモリカード
１００  画像処理装置
１１０  制御部（ファイル作成手段、付与手段、連結作成手段、更新手段、選択決定手段、判別手段、削除手段、）
ＣＤ  記録媒体
【図１】
2004282486.tif 000003
【図２】
2004282486.tif 000004
【図３】
2004282486.tif 000005
【図４】
2004282486.tif 000006
【図５】
2004282486.tif 000007
【図６】
2004282486.tif 000008
【図７】
2004282486.tif 000009
【図８】
2004282486.tif 000010
【図９】
2004282486.tif 000011
【図１０】
2004282486.tif 000012
【図１１】
2004282486.tif 000013
【図１２】
2004282486.tif 000014
【図１３】
2004282486.tif 000015
【図１４】
2004282486.tif 000016
【図１５】
2004282486.tif 000017
【図１６】
2004282486.tif 000018
【図１７】
2004282486.tif 000019
【図１８】
2004282486.tif 000020
【図１９】
2004282486.tif 000021
【図２０】
2004282486.tif 000022